(57)【要約】本実施の形態に係るレンズ鏡筒（１）は、レンズユニット（１０）と、固定枠（１７）と、フォーカスリング（１２）と、フォーカスグリップ（２０）と、固定部とを備えている。レンズユニット（１０）は、光学系を有する。固定枠（１７）は、レンズユニット（１０）を光学系の光軸Ｘ方向に移動可能に支持する。フォーカスリング（１２）は、レンズユニット（１０）の外周側に配置されフォーカス調整を手動で行う場合に回転操作される。フォーカスグリップ（２０）は、フォーカスリング（１２）から外側に突出して設けられフォーカスリング（１２）を回転するために操作される。固定部はフォーカス調整を自動で行う場合にフォーカスリング（１２）を固定枠（１７）に固定する。固定部は、フォーカスグリップ（２０）に配置されフォーカスリング（１２）を固定枠（１７）に固定する際に操作される固定ボタン（２１）を有する。
2016143327.tif 000002
【特許請求の範囲】
【請求項１】
光学系を有するレンズユニットと、
前記レンズユニットを前記光学系の光軸方向に移動可能に支持する支持枠と、
前記レンズユニットの外周側に配置され、フォーカス調整を手動で行う場合に前記レンズユニットに対して回転操作されるフォーカスリングと、
前記フォーカスリングから径方向外側に突出して設けられ、前記フォーカスリングを回転操作するために操作される操作部と、
前記フォーカス調整を自動で行う場合に前記フォーカスリングを前記支持枠に固定しておくための固定部と、
を備え、
前記固定部は、前記フォーカスリングを前記支持枠に固定する際に操作される固定ボタンを有し、前記固定ボタンが前記操作部に配置されている、
レンズ鏡筒。
【請求項２】
前記光軸方向に沿って形成され前記固定ボタンが嵌合された貫通溝と、前記光軸に対する周方向に沿って形成され通常撮影モードにおける距離目盛を表示する第１距離目盛表示と、前記第１距離目盛表示と並行となるように形成されマクロ撮影モードにおける距離目盛を表示する第２距離目盛表示と、を有する距離目盛リングを更に備え、
前記距離目盛リングは、前記フォーカスリングの回転の際に前記固定ボタンと前記貫通溝の嵌合により前記フォーカスリングとともに回転する、
請求項１に記載のレンズ鏡筒。
【請求項３】
前記通常撮影モードにおいて、前記第１距離目盛表示は、前記第２距離目盛表示よりも前記光軸方向におけるフォーカスリング側に配置されており、
前記通常撮影モードと前記マクロ撮影モードを切り替える際に、前記固定ボタンが前記貫通溝に沿って相対的に移動することで前記距離目盛リングは前記フォーカスリング対して前記光軸方向に相対移動し、
前記マクロ撮影モードにおいて、前記第１距離目盛表示は前記フォーカスリングの径方向内側に配置され、前記第２距離目盛表示は前記光軸方向における前記フォーカスリングの隣に配置される、
請求項２に記載のレンズ鏡筒。
【請求項４】
内周面にカムピンを有し、前記距離目盛リングの内側に配置されたカムピン枠と、
前記カムピンに嵌合するカム溝を有し、前記カムピンが前記カム溝に嵌合した状態で前記カムピン枠が相対回転することで前記カムピン枠を前記光軸方向に相対移動させるカム枠と、を更に備え、
前記カムピン枠は、前記距離目盛リングと、周方向に相対回転可能且つ前記光軸方向における相対移動が規制されるように嵌合しており、
前記通常撮影モードと前記マクロ撮影モードを切り替える際に、前記カム枠の回転により、前記カムピン枠が前記光軸方向に前記カム枠に対して相対移動し、前記カムピン枠とともに前記距離目盛リングが前記光軸方向に移動する、
請求項２に記載のレンズ鏡筒。
【請求項５】
内周面にカムピンを有し、前記距離目盛リングの内側に配置されたカムピン枠と、
前記カムピンに嵌合するカム溝を有し、前記カムピンが前記カム溝に嵌合した状態で前記カムピン枠が相対回転することで前記カムピン枠を前記光軸方向に相対移動させるカム枠と、を更に備え、
前記カムピン枠は、前記距離目盛リングと、周方向に相対回転可能且つ前記光軸方向における相対移動が規制されるように嵌合しており、
前記通常撮影モードと前記マクロ撮影モードを切り替える際に、前記カム枠の回転により、前記カムピン枠が前記光軸方向に前記カム枠に対して相対移動し、前記カムピン枠とともに前記距離目盛リングが前記光軸方向に移動する、
請求項３に記載のレンズ鏡筒。
【請求項６】
前記固定部は、
前記レンズユニットに対する前記フォーカスリングの相対回転を第１位置と第２位置の所定の範囲に規制する第１規制部と、
前記フォーカスリングの前記第１位置への移動および前記第１位置からの移動を規制する第２規制部と、を有し、
前記第２規制部による規制は、前記固定ボタンの押下により解除され、
前記第１位置は、前記フォーカス調整を自動で行う場合に、前記フォーカスリングが前記支持枠に固定される位置である、
請求項１に記載のレンズ鏡筒。
【請求項７】
前記第２規制部は、
前記支持枠の外表面に形成された凹部に配置された規制部材と、
前記凹部に配置され前記規制部材を前記外表面から径方向外側に突出するように付勢する第１付勢部材と、
前記フォーカス調整を手動で行う場合には前記フォーカスリングの回転に伴って前記支持枠の前記外表面に沿って移動し、前記フォーカス調整を自動で行う場合には前記外表面から径方向外側に突出した前記規制部材の干渉によって移動が規制される被規制部材と、
前記被規制部材を覆うように配置された前記固定ボタンを前記被規制部材に対して径方向外側に付勢する第２付勢部材と、を有し、
前記固定ボタンは、前記規制部材を越えて前記被規制部材を移動させるために、押下により前記規制部材を前記凹部に押し込む押込み部を持ち、
前記フォーカスリングの前記第１位置への移動および前記第１位置からの移動は、前記規制部材の前記被規制部材への干渉によって規制される、
請求項６に記載のレンズ鏡筒。
【発明の詳細な説明】
【技術分野】
【０００１】
本開示は、レンズ鏡筒に関する。
【背景技術】
【０００２】
レンズ鏡筒として、オートフォーカスモードとマニュアルフォーカスモードを切り替える切替スイッチと、マニュアルフォーカスモードの場合に手動でフォーカス調整を行うためのフォーカスリングが設けられた構成が開示されている（例えば、特許文献１参照）。【０００３】
特許文献１では、レンズ鏡筒の上側に切替スイッチが設けられており、切替スイッチの光軸方向後側にフォーカスリングが配置されている。
【先行技術文献】
【特許文献】
【０００４】
【特許文献１】特開２０１１−１０００７６号公報
【発明の概要】
【０００５】
しかしながら、上記従来のレンズ鏡筒では、以下に示すような問題点を有している。
【０００６】
すなわち、上記公報に開示されたレンズ鏡筒では、切替スイッチとフォーカスリングが別々に設けられているため、操作性が悪かった。
【０００７】
例えば、マニュアルフォーカスモードでのフォーカス調整中に急いでオードフォーカスモードに切り替える場合、フォーカスリングから一旦手を離し切替スイッチを操作する必要があった。特に、ファインダーを覗いている最中には切替スイッチを手探りで探してから操作することになり、操作性が悪かった。
【０００８】
本発明の課題は、マニュアルフォーカスモードとオートフォーカスモードの切替えの操作性が向上したレンズ鏡筒を提供することにある。
【０００９】
本開示に係るレンズ鏡筒は、レンズユニットと、支持枠と、フォーカスリングと、操作部と、固定部とを備えている。レンズユニットは、光学系を有する。支持枠は、レンズユニットを光学系の光軸方向に移動可能に支持する。フォーカスリングは、レンズユニットの外周側に配置されフォーカス調整を手動で行う場合に回転操作される。操作部は、フォーカスリングから外側に突出して設けられ、フォーカスリングを回転するために操作される。固定部は、フォーカス調整を自動で行う場合にフォーカスリングを支持枠に固定する。固定部は、固定ボタンを有する。固定ボタンは、操作部に配置されフォーカスリングを支持枠に固定する際に操作される。
【００１０】
本開示に係るレンズ鏡筒によれば、マニュアルフォーカスモードとオートフォーカスモードの切替えの操作性を向上できる。
【図面の簡単な説明】
【００１１】
【図１】図１は、本開示の一実施形態に係るレンズ鏡筒の構成を示す全体斜視図である。
【図２】図２は、図１のレンズ鏡筒の全体斜視図である。
【図３】図３は、図１のレンズ鏡筒の平面図である。
【図４】図４は、図１のレンズ鏡筒の主要部品の分解斜視図である。
【図５】図５は、図１のレンズ鏡筒の内部構成を示す端面図である。
【図６】図６は、図１のレンズ鏡筒のフォーカスリングを示す斜視図である。
【図７Ａ】図７Ａは、図１のレンズ鏡筒のインデックスリングを示す斜視図である。
【図７Ｂ】図７Ｂは、図７Ａのインデックスリングの側面図である。
【図７Ｃ】図７Ｃは、図７Ａのインデックスリングの背面図である。
【図８】図８は、図３のＣＣ´間の矢示端面図である。
【図９】図９は、図８の端面図においてフォーカスリングが最近接位置に到達した状態を示す図である。
【図１０】図１０は、図８の端面図においてフォーカスリングがオートフォーカス位置に到達した状態を示す図である。
【図１１Ａ】図１１Ａは、図３のＤＤ´間の矢示端面図である。
【図１１Ｂ】図１１Ｂは、図１１Ａの部分拡大図である。
【図１２Ａ】図１２Ａは、図３のＤＤ´間の矢示端面図である。
【図１２Ｂ】図１２Ｂは、図１２Ａの部分拡大図である。
【図１３Ａ】図１３Ａは、図３のＤＤ´間の矢示端面図である。
【図１３Ｂ】図１３Ｂは、図１３Ａの部分拡大図である。
【図１４】図１４は、図１のレンズ鏡筒の距離目盛リングを示す展開図である。
【図１５】図１５は、図１のレンズ鏡筒の距離目盛リングおよびカムピン枠を示す斜視図である。
【図１６】図１６は、図１４および図１５の距離目盛リングとカムピン枠の配置状態を説明する端面図である。
【図１７】図１７は、図１のレンズ鏡筒の固定枠の構成を示す斜視図である。
【図１８】図１８は、図１のレンズ鏡筒のカム枠の構成を示す斜視図である。
【図１９】図１９は、図１８のカム枠を示す展開図である。
【図２０Ａ】図２０Ａは、距離目盛リングの移動を説明するための展開図である。
【図２０Ｂ】図２０Ｂは、距離目盛リングの移動を説明するための展開図である。
【図２１Ａ】図２１Ａは、距離目盛リングの移動による目盛表示の切り替わりを説明するための図である。
【図２１Ｂ】図２１Ｂは、距離目盛リングの移動による目盛表示の切り替わりを説明するための図である。
【発明を実施するための形態】
【００１２】
以下、適宜図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１３】
なお、出願人は、当業者が本開示を十分に理解するために添付図面および以下の説明を提供するのであって、これらによって請求の範囲に記載の主題を限定することを意図するものではない。
【００１４】
（実施形態１）
本開示の一実施形態に係るレンズ鏡筒１について、図１〜図２１を用いて説明すれば以下の通りである。
【００１５】
（レンズ鏡筒１全体の概略構成）
図１および図２は、本実施の形態のレンズ鏡筒１の外観構成を示す斜視図である。図３は、レンズ鏡筒１の平面図である。図４は、レンズ鏡筒１の主要な構成の分解斜視図であり、例えば、化粧リング、フィルターリングなどは省略されている。
【００１６】
本実施の形態に係るレンズ鏡筒１は、カメラ本体（図示せず）に対して着脱可能である。レンズ鏡筒１は、図１〜図３の外観図に示すようにレンズユニット１０と、絞りリング１１と、フォーカスリング１２と、インデックスリング１３と、距離目盛リング１４と、深度目盛リング１５と、マクロ切替リング１６と、固定枠１７と、後枠１８と、レンズマウント１９と、フォーカスグリップ２０と、固定ボタン２１を主に有する。
【００１７】
レンズユニット１０は、その内側に光学系を有している。なお、以下の説明において、前側とは、レンズユニット１０の光軸Ｘ方向における被写体側（図３における光軸Ｘの矢印Ｘ１側）を示し、後側とは、光軸Ｘ（図３参照）方向におけるレンズマウント１９側（図３における光軸Ｘの矢印Ｘ２側）を示す。
【００１８】
絞りリング１１は、レンズユニット１０内に設けられた絞りユニット３７（後述する図５参照）の絞りを調整するためのリング状の部材である。絞りリング１１は、図１〜図４に示すようにレンズ鏡筒１の光軸Ｘ（図３参照）方向における前端近傍に配置されている。絞りリング１１を回転することによって絞りの調整が行われる。
【００１９】
フォーカスリング１２は、レンズユニット１０内の光学系によって撮像素子に形成された被写体像のフォーカス調整を行うリング状の部材である。フォーカスリング１２は、絞りリング１１の光軸Ｘ方向における後側に配置されている。マニュアルフォーカスモードにおいてフォーカスリング１２を回転することによって手動でのフォーカス調整が行われる。
【００２０】
インデックスリング１３は、絞りリング１１の前側に配置されており、その一部が絞りリング１１の内側に挿入されている。インデックスリング１３は、レンズユニット１０に対するフォーカスリング１２の回転を所定範囲内に規制する。
【００２１】
距離目盛リング１４は、フォーカスリング１２の回転操作とともに回転し、被写体までの距離情報を表示する。距離目盛リング１４は、フォーカスリング１２の後側に配置されている。距離目盛リング１４には、通常撮影時の距離目盛とマクロ撮影時の距離目盛が表示されている。
【００２２】
深度目盛リング１５は、距離目盛リング１４の後側に配置されており、被写界深度の目盛りが表示されている。
【００２３】
マクロ切替リング１６は、通常撮影モードとマクロ撮影モードの切替を行うリング状部材である。マクロ切替リング１６は、深度目盛リング１５の後側に配置されている。マクロ切替リング１６を回転することによって、距離目盛リング１４とレンズユニット１０が光軸方向に沿って移動し、通常撮影モードとマクロ撮影モードの切替が行われる。
【００２４】
固定枠１７は、フォーカスリング１２、絞りリング１１、インデックスリング１３、距離目盛リング１４、深度目盛リング１５およびマクロ切替リング１６の内側に配置され、これらのリング状の部材を回転可能に支持する。また、固定枠１７は、レンズユニット１０の外側に配置され、レンズユニット１０を光軸方向に移動可能に支持する。
【００２５】
後枠１８は、固定枠１７と接続されており、レンズマウント１９は、固定枠１７または後枠１８に接続される。レンズマウント１９によってレンズ鏡筒１はカメラ本体に着脱される。
【００２６】
フォーカスグリップ２０（操作部の一例）は、図１〜３に示すようにフォーカスリング１２の外周側に、フォーカスリング１２から突出するように配置されている。フォーカスグリップ２０は、フォーカスリング１２を回転操作する際に、操作しやすくするための指を引っ掛ける部材である。フォーカスグリップ２０は、図１に示すように、指を当てやすくするためレンズ鏡筒１の周に沿った中央が凹むように湾曲して形成されている。また、フォーカスグリップ２０の表面には、指を引っ掛け易くするために凹凸形状が形成されている。
【００２７】
固定ボタン２１は、フォーカスグリップ２０に配置されており、その一部がフォーカスグリップ２０の表面から露出している。固定ボタン２１は、自動でのフォーカス調整を行う際に押下される。固定ボタン２１は、インデックスリング１３の回転規制部１３ｂ（後述する）とともにフォーカスリング１２を固定枠１７に固定する固定部４０（後述する）の一部を構成する。
【００２８】
（レンズユニット）
図５は、本実施の形態のレンズ鏡筒１の内部構成を示す図である。レンズユニット１０は、外形が略円筒形状であって、図５に示すように、光軸Ｘに沿って１０枚のレンズＬ１〜Ｌ１０を含む光学系を保持する６つのレンズ枠（１群レンズ枠ユニット３１、２群レンズ枠ユニット３２、３群レンズ枠ユニット３３、４群レンズ枠ユニット３４、５群レンズ枠ユニット３５およびレンズ枠３６）と、絞りユニット３７と、を有する。
【００２９】
１０枚のレンズＬ１〜Ｌ１０は、図５に示すように、光軸Ｘに沿って、前側（被写体側）からこの順に配置されており、カメラ本体に搭載された撮像素子（図示せず）に対して、被写体像を導く。
【００３０】
１群レンズ枠ユニット３１は、図５に示すように、最も被写体側に配置されており、レンズユニット１０の外枠を形成する円筒部３１ａと、円筒部３１ａの内側に保持された３枚のレンズＬ１〜Ｌ３を含んでいる。
【００３１】
２群レンズ枠ユニット３２は、図５に示すように、円筒部３１ａの内側に配置されており、レンズＬ５を有している。レンズＬ５は、図５に示すように、被写体側に向かって凸形状を有し、光軸ＸにおけるレンズＬ３の後側に配置されている。
【００３２】
レンズ枠３６は、１群レンズ枠ユニット３１の円筒部３１ａの内側に配置されており、レンズＬ４を有する。レンズＬ４は、レンズＬ３とレンズＬ５の間に配置されている。
【００３３】
３群レンズ枠ユニット３３は、図５に示すように、４群レンズ枠ユニット３４の筒状部３４ａの内周側に、光軸Ｘにおいて移動可能な状態で配置されている。そして、３群レンズ枠ユニット３３は、レンズＬ６，Ｌ７を有している。なお、３群レンズ枠ユニット３３は、図示しないアクチュエータによって駆動されることで、光軸Ｘ方向において前後に移動する。レンズＬ６は、カメラ本体（図示せず）側に向かって凸形状を有し、光軸Ｘ方向における被写体側から見て、絞りユニット３７の下流側に配置されている。レンズＬ７は、レンズＬ６の凸形状に当接する凹形状を有し、レンズＬ６に当接した状態で配置されている。
【００３４】
４群レンズ枠ユニット３４は、図５に示すように、レンズユニット１０の外枠を形成する筒状部３４ａと、筒状部３４ａの内側に保持された２つのレンズＬ８，Ｌ９を保持する。レンズＬ８は、被写体側およびカメラ本体側の双方に凹んだ凹形状を有しており、レンズＬ５の後側に配置されている。レンズＬ９は、レンズＬ８の後側に配置されており、レンズＬ８の凹形状に当接する凸形状を有している。
【００３５】
５群レンズ枠ユニット３５は、図５に示すように、４群レンズ枠ユニット３４の筒状部３４ａの内周側に、光軸Ｘに沿って移動可能な状態で配置されている。５群レンズ枠ユニット３５は、レンズＬ９の後側に配置されている。５群レンズ枠ユニット３５は、図示しないアクチュエータによって駆動されることで、光軸Ｘ方向において前後に移動する。５群レンズ枠ユニット３５は、レンズＬ１０を保持している。
【００３６】
レンズＬ１０は、カメラ本体（図示せず）側に向かって凸形状を有し、光軸Ｘにおける被写体側から見て、レンズＬ９の下流側に配置されている。つまり、レンズＬ１０は、レンズ鏡筒１に含まれる光学系のうち、最もレンズマウント１９側に配置されている。
【００３７】
絞りユニット３７は、２群レンズ枠ユニット３２と３群レンズ枠ユニット３３の間に配置されている。絞りリング１１の操作によって開口が調整される。
【００３８】
なお、図４および図５に示すように、レンズユニット１０内のレンズ枠ユニットを移動するためのレンズ制御基板２２が、レンズユニット１０の後側に配置されている。
【００３９】
レンズユニット１０の４群レンズ枠ユニット３４の筒状部３４ａの外表面には、図４の拡大図Ｖに示すようにカムピン３８がビス３９によって固定される。カムピン３８は、４群レンズ枠ユニット３４の筒状部に外周面において略等間隔で３つ設けられている。
【００４０】
（フォーカスリング、インデックスリング）
フォーカスリング１２は、固定枠１７の外周に配置されている。フォーカスリング１２は、手動でフォーカス調整を行う場合にユーザによって回転操作される。そのため、フォーカスリング１２の外周面１２ａには、回転させ易くするために凹凸形状が形成されている。
【００４１】
フォーカスリング１２は、固定枠１７の外周に回転可能に配置されているが、固定枠１７と固定されているインデックスリング１３によって所定の範囲以上の回転が規制されている。
【００４２】
図６は、フォーカスリング１２の構成を示す斜視図である。フォーカスリング１２の前側の周縁１２ｂには、前方に向かって突出した２つの突起１２ｃ、１２ｄが所定の間隔を空けて形成されている。２つの突起１２ｃ、１２ｄは、周方向において近傍に配置されている。
【００４３】
図７Ａはインデックスリング１３の斜視図であり、図７Ｂはインデックスリング１３の側面図であり、図７Ｃはインデックスリング１３の正面図である。図８は、図３のＣＣ´間の矢示端面図である。
【００４４】
インデックスリング１３は、マーク表示部１３ａと、回転規制部１３ｂとを有する。マーク表示部１３ａは、レンズ鏡筒１の外側に露出され、絞り目盛をあわせるための基準となる基準位置マーク１３ｇ（図２参照）が付されている。回転規制部１３ｂは、マーク表示部１３ａよりも外径が小さく、絞りリング１１の内側に挿入される。回転規制部１３ｂは、絞りリング１１およびフォーカスリング１２の回転を所定の範囲で規制する。
【００４５】
図７Ａ〜図７Ｃに示すように回転規制部１３ｂの内周面１３ｃには、突起１２ｃおよび突起１２ｄが挿入される挿入部１３ｄが設けられている。挿入部１３ｄの両端には、壁部１３ｅ、１３ｆ（図中点線部分参照）が形成されている。この壁部１３ｅ、１３ｆによって、インデックスリング１３の回転規制部１３ｂの内周面１３ｃと固定枠１７の外表面１７ａの間に隙間Ｗが形成され、この隙間Ｗに突起１２ｃと突起１２ｄが挿入される。
【００４６】
この壁部１３ｅと壁部１３ｆの間において、突起１２ｃ、１２ｄが周方向に沿って移動できる。
【００４７】
図６において、フォーカスリング１２が矢印Ａ方向に回転することによって、フォーカス位置が近接側になる。また、フォーカスリング１２が矢印Ｂ方向に回転することによって、フォーカス位置が遠方側に移動する。なお、矢印Ｂ方向の端のフォーカスリング１２の位置は、フォーカス調整を自動で行うオートフォーカスモードの場合にフォーカスリング１２が固定枠１７に固定される位置（以下、オートフォーカス位置ともいう）である。また、矢印Ａ方向の端のフォーカスリング１２の位置は、フォーカス調整を手動で行うマニュアルフォーカスモードの場合に被写体との距離が最も近い最近接位置である。
【００４８】
図９は、フォーカスリング１２を矢印Ａ方向に回転させた際に回転規制部１３ｂによって規制された状態を示す図であり、図８の部分拡大図に対応する。図に示すようにフォーカスリング１２が矢印Ａ方向に回転すると突起１２ｄが壁部１３ｅに当接し、それ以上の矢印Ａ方向へのフォーカスリング１２の回転が規制される。
【００４９】
図１０は、フォーカスリング１２を矢印Ｂ方向に回転させた際に回転規制部１３ｂによって規制された状態を示す図であり、図８の部分拡大図に対応する。図に示すように、フォーカスリング１２が矢印Ｂ方向に回転すると突起１２ｃが壁部１３ｆに当接し、それ以上の矢印Ｂ方向へのフォーカスリング１２の回転が規制される。
【００５０】
なお、フォーカスリング１２の回転位置は、リニアエンコーダ２３（図４参照）によって検出されレンズ制御基板２２等へ伝達される。
【００５１】
（固定部）
図１１Ａは、図３のＤＤ´間の矢示端面図である。図１１Ａは、フォーカスリング１２を矢印Ｂ方向に回転移動させた状態を示す図である。図１１Ｂは、図１１Ａの固定ボタン２１近傍の部分拡大図である。図４のＳ部拡大図には、フォーカスグリップ２０および固定ボタン２１が示されている。
【００５２】
固定部４０は、オートフォーカスモードにおいてフォーカスリング１２を固定枠１７に固定する。
【００５３】
固定部４０は、図７Ａ〜図７Ｃに示す回転規制部１３ｂ（第１規制部の一例）と、図１１Ａ、図１１Ｂに示す移動規制部４５（第２規制部の一例）とを有する。回転規制部１３ｂは、上述のようにフォーカスリング１２をオートフォーカス位置（第１位置の一例）と最近接位置（第２位置の一例）の間の範囲でのみ回転移動できるように規制する。
【００５４】
移動規制部４５は、フォーカスリング１２のオートフォーカス位置への回転移動およびオートフォーカス位置からの回転移動を規制する。
【００５５】
移動規制部４５は、固定ボタン２１と、固定ピン４１と、固定ボタンスプリング４２と、固定ボール４３と、固定ボールスプリング４４と、を有する。
【００５６】
固定ボタン２１は、フォーカスグリップ２０に形成された貫通孔２０ａに挿通されている。固定ボタン２１の光軸Ｘを基準とした径方向外側はフォーカスグリップ２０の外表面から露出している。
【００５７】
固定ボタン２１は、径方向内側に開口した内部空間を有しており、固定ピン４１は、その内部空間に挿入配置されている。いいかえると、固定ボタン２１は、固定ピン４１を覆うように配置されている。固定ピン４１は、円柱状の第１部分４１ａと、第１部分４１ａよりも径の小さい第２部分４１ｂと、第１部分４１ａよりも径の小さい第３部分４１ｃとを有する。第１部分４１ａ、第２部分４１ｂおよび第３部分４１ｃは、中心軸が光軸Ｘ方向を基準とした径方向を向くように配置されている。第２部分４１ｂは、第１部分４１ａの径方向外側の面に配置され、第３部分４１ｃは、第１部分４１ａの径方向内側の面に配置されている。
【００５８】
固定ピン４１の内側の端４１ｄは、固定枠１７の外表面１７ａに当接している。
【００５９】
固定ボタンスプリング４２は、第２部分４１ｂに外側から差込むように、固定ボタン２１の内部空間内に配置されている。固定ボタンスプリング４２は、その径方向内側の端が第１部分４１ａに当接し、径方向外側の端が固定ボタン２１の内部空間の径方向外側の面に当接している。この固定ボタンスプリング４２によって、固定ボタン２１は、固定ピン４１に対して径方向外側に向かって付勢されている。
【００６０】
また、固定枠１７の外表面１７ａには、凹部１７ｂが形成されており、固定ボールスプリング４４は凹部１７ｂ内に挿入されている。
【００６１】
固定ボール４３は、凹部１７ｂに嵌められ固定ボールスプリング４４の径方向外側に配置されている。固定ボール４３は、固定ボールスプリング４４によって径方向外側に向かって付勢されている。
【００６２】
固定ボール４３は、フォーカスリング１２を矢印Ｂ方向に回転させた際に、意図せずオートフォーカス位置に移動しないようにオートフォーカス位置へのフォーカスリング１２の回転移動を規制する。また、後述の図１２および図１３において説明するが、意図せずにオートフォーカス位置からフォーカスリング１２を矢印Ａ方向に回させてマニュアルフォーカスモードに切り替えないように、固定ボール４３は、フォーカスリング１２のオートフォーカス位置からの矢印Ａ方向への移動を規制する。
【００６３】
（マニュアルフォーカスモードからオートフォーカスモードへの切替）
マニュアルフォーカスモードからオートフォーカスモードに切替える際に、フォーカスリング１２の固定枠１７への固定が行われる。
【００６４】
以上の構成によるフォーカスリング１２の固定枠１７への固定について以下に説明する。図１２Ａおよび図１３Ａは、フォーカスリング１２の固定動作を説明するための図３のＤＤ´間の矢示端面図である。図１２Ｂは図１２Ａの部分拡大図であり、図１３Ｂは、図１３Ａの部分拡大図である。
【００６５】
マニュアルフォーカスモードからオートフォーカスモードに切り替えるために、フォーカスリング１２を矢印Ｂ方向に回転移動させると、固定枠１７の外表面１７ａから突出する固定ボール４３が固定ピン４１の第３部分４１ｃに当接し、フォーカスリング１２の矢印Ｂ方向への回転が規制される（図１１Ａ、図１１Ｂ参照）。このようにオートフォーカス位置へのフォーカスリング１２の矢印Ｂ方向への移動が規制されることにより、使用者が意図せずマニュアルフォーカスモードからオートフォーカスモードに切り替えてしまうことを防げる。
【００６６】
この固定ボール４３によって規制された状態では、図１１Ａ、図１１Ｂに示すように固定ボタン２１の径方向内側の端部２１ａが、固定ボール４３の径方向外側に位置している。
【００６７】
次に、使用者が固定ボタン２１を押下することによって、図１２Ａ、図１２Ｂに示すように、固定ボタン２１の端部２１ａによって固定ボール４３が凹部１７ｂ内に押し込まれ、固定ボール４３による固定ピン４１の規制が解除される。
【００６８】
固定ボタン２１が押し込まれた状態で、フォーカスリング１２を更に矢印Ｂ方向に移動すると、図１３Ａ、図１３Ｂに示すように固定ピン４１が凹部１７ｂを通り過ぎ、フォーカスリング１２がオートフォーカス位置に到達する。そして、使用者が固定ボタン２１の押下を解除すると、固定ボタン２１が固定ボタンスプリング４２によって径方向外側に移動し、固定ボール４３の凹部１７ｂ内への押込みが解除される。これにより、固定ボール４３は固定ボールスプリング４４の付勢力によって凹部１７ｂから突出し、固定ピン４１の回転方向Ａ側の位置に隣接して配置される。詳細には、固定ボール４３は固定ピン４１の第３部分４１ｃの回転方向Ａ側に隣接し第１部分４１ａに当接している。
【００６９】
このため、フォーカスリング１２を矢印Ａ方向へ移動させようとしても、固定ボール４３が固定ピン４１に干渉するため、フォーカスリング１２の矢印Ａ方向への移動は規制される。このようにオートフォーカス位置からのフォーカスリング１２の矢印Ａ方向への移動が規制されることにより、使用者が意図せずオートフォーカスモードからマニュアルフォーカスモードに切り替えてしまうことを防げる。
【００７０】
一方、図１３Ａ、図１３Ｂに示すフォーカスリング１２の位置では、図１０に示すようにフォーカスリング１２の突起１２ｃが壁部１３ｆに当接しており、フォーカスリング１２の矢印Ｂ方向への移動が規制されている。
【００７１】
この固定ボール４３による矢印Ａ方向への回転の規制と、壁部１３ｆによる矢印Ｂ方向への回転の規制によって、フォーカスリング１２は、図１３Ａ、図１３Ｂに示すオートフォーカス位置において固定される。
【００７２】
（距離目盛リング）
図１４は、距離目盛リング１４の平面図である。距離目盛リング１４は、外周面１４ａに形成された通常撮影モード用の第１距離目盛表示１４ｂと、マクロ撮影モード用の第２距離目盛表示１４ｃを有している。
【００７３】
第１距離目盛表示１４ｂは、第２距離目盛表示１４ｃの光軸Ｘ方向における前側に配置されている。
【００７４】
図１５は、距離目盛リング１４およびカムピン枠２４の拡大斜視図である。
【００７５】
図１５に示すように距離目盛リング１４は、その光軸Ｘ方向の前側の周縁１４ｄから光軸Ｘ方向に沿って形成された貫通溝１４ｅを有している。この貫通溝１４ｅには、図１１Ｂに示すように、固定ボタン２１が嵌められている。図１１Ｂでは、わかりやすくするために距離目盛リング１４にハッチングを施している。
【００７６】
また、距離目盛リング１４の内周面１４ｆであって貫通溝１４ｅの後側には、周方向に沿って一周にわたってガイド溝１４ｇが形成されている。更に内周面１４ｆには、ガイド溝１４ｇにカムピン枠２４の突起２４ｂに挿入するための挿入溝１４ｈが形成されている。挿入溝１４ｈは、光軸方向Ｘに沿って形成されており、周方向において３箇所に略等間隔に配置されている。
【００７７】
距離目盛リング１４は、マクロ切替リング１６が回転操作されると、図４に示す固定枠１７、カムピン枠２４、カム枠２５、固定ボタン２１等によって光軸方向に移動される。
【００７８】
（カムピン枠）
カムピン枠２４は、距離目盛リング１４の内側に配置される。カムピン枠２４は、外周面２４ａに、３箇所の突起２４ｂを有している。この突起２４ｂは周方向において略等間隔に設けられている。この突起２４ｂが、後側から距離目盛リング１４の挿入溝１４ｈに沿ってガイド溝１４ｇに挿入され、カムピン枠２４は、距離目盛リング１４の内側に配置される。また、ガイド溝１４ｇに沿って突起２４ｂが周方向に移動できるため、距離目盛リング１４はカムピン枠２４に対して回転自在に構成される。
【００７９】
図１６は、突起２４ｂがカムピン枠２４に嵌っている状態を示す光軸Ｘと平行な端面図である。カムピン枠２４を光軸方向における前後方向に移動すると、突起２４ｂがガイド溝１４ｇの光軸方向における前後方向の縁１４ｇ１、１４ｇ２に当接するため、カムピン枠２４とともに距離目盛リング１４は前後方向に移動する。
【００８０】
また、カムピン枠２４は、内周面２４ｃにカムピン２４ｄを有している。このカムピン２４ｄは、固定枠１７の外周面に光軸方向に沿って形成された第１貫通ガイド溝１７ｃ（図１７参照）に嵌っている。
【００８１】
カムピン枠２４のカムピン２４ｄは、第１貫通ガイド溝１７ｃを貫通して、固定枠１７の径方向内側に配置されるカム枠２５の第１カム溝６１（図１８参照）に嵌っている。
【００８２】
（固定枠）
図１７は、固定枠１７の外観を示す斜視図である。
【００８３】
固定枠１７（支持枠の一例）は、アルミで形成された円筒状の部材であって、上述したように外表面１７ａに凹部１７ｂ（図１１Ａ参照）を有し、凹部１７ｂには、固定ボールスプリング４４と固定ボール４３が配置されている。
【００８４】
固定枠１７の外表面１７ａには、第１貫通ガイド溝１７ｃと、第２貫通ガイド溝１７ｄと、第３貫通ガイド溝１７ｅが形成されている。
【００８５】
第１貫通ガイド溝１７ｃは、光軸Ｘ方向に沿って形成されており、周方向において略等間隔で３箇所に形成されている。第１貫通ガイド溝１７ｃには、固定枠１７の径方向外側に配置されるカムピン枠２４の突起２４ｂが外側から挿通されている。
【００８６】
第２貫通ガイド溝１７ｄは、光軸Ｘ方向に沿って形成されており、周方向において略等間隔で３箇所に形成されている。第２貫通ガイド溝１７ｄには、レンズユニット１０に設けられたカムピン３８が内側から挿入されている。なお、第１貫通ガイド溝１７ｃと第２貫通ガイド溝１７ｄは周方向において交互に形成されている。
【００８７】
第３貫通ガイド溝１７ｅは、固定枠１７の後端よりに周方向に沿って形成されている。この第３貫通ガイド溝１７ｅは、周方向において略等間隔で３箇所に形成されている。そして、第３貫通ガイド溝１７ｅには、固定枠１７の内側に配置されるカム枠２５に配置されたカムピン５１が内側から挿入されている。
【００８８】
（カム枠）
図１８は、カム枠２５の斜視図である。
【００８９】
カム枠２５は、図４に示すようにアルミで形成された円筒状の部材であって、４群レンズ枠ユニット３４の外周面側であって固定枠１７の内周面側に配置されている。
【００９０】
カム枠２５は、複数のカム溝が形成されている筒状部２５ａと、筒状部２５ａの光軸Ｘ方向における後側に筒状部２５ａよりも径方向外側に突出した縁部２５ｂとを有する。
【００９１】
縁部２５ｂには、周方向に沿って３箇所にカムピン５１が配置されている。カムピン５１は、ビス５２によって縁部２５ｂの外表面に固定されている。カムピン５１は、図１６に示すように固定枠１７の第３貫通ガイド溝１７ｅを介して、マクロ切替リング１６の内側の凹部１６ａ（図４参照）に嵌合している。
【００９２】
これにより、マクロ切替リング１６を回転させることによって、カムピン５１も回転し、カム枠２５が回転する。
【００９３】
筒状部２５ａには、３つの第１カム溝６１と、３つの第２カム溝６２が形成されている。第１カム溝６１と第２カム溝６２は周方向に交互に設けられている。
【００９４】
図１９は、カム枠２５を内側から見た部分展開図である。図１９に示すように、第１カム溝６１は、距離目盛リング１４を光軸方向に駆動するカム溝であって、固定枠１７の第１貫通ガイド溝１７ｃを貫通したカムピン枠２４のカムピン２４ｄが外側から挿入されている。第１カム溝６１は、第１直線部６１ａと、傾斜部６１ｂと、第２直線部６１ｃとを有する。第１直線部６１ａは、周方向に沿って直線状に形成されている。傾斜部６１ｂは、第１直線部６１ａのＢ方向側の端から形成されており、矢印Ｂ方向に向かうに従って前側に向かうように傾斜している。第２直線部６１ｃは、傾斜部６１ｂの矢印Ｂ方向の端から周方向に沿って直線状に形成されている。第２直線部６１ｃは、第１直線部６１ａよりもＸ１方向側（被写体側）に配置さている。この第１カム溝６１に沿うようにカムピン２４ｄが移動しながら、カム枠２５はカムピン枠２４に対して相対回転する。
【００９５】
（通常撮影モードとマクロ撮影モードの切替え）
通常撮影モードでは、カムピン２４ｄは、第１直線部６１ａの矢印Ｂ方向側の端（遠方位置）のノーマル位置Ｐ１に配置されている。マクロ切替リング１６を矢印Ａ方向（図４参照）に回転させると、カムピン５１を介してカム枠２５が、矢印Ａ方向に回転する。カム枠２５の回転に伴って、第１カム溝６１に嵌っているカムピン２４ｄは、第１直線部６１ａから傾斜部６１ｂを介して第２直線部６１ｃへと相対移動する。
【００９６】
マクロ切替リング１６の矢印Ａ方向への回転によって、固定枠１７の第３貫通ガイド溝１７ｅに挿入されているカムピン５１を介してカム枠２５が矢印Ａ方向に回転する。この回転に伴って第１カム溝６１も回転し、カムピン２４ｄは第１カム溝６１に沿って移動する。また、カムピン２４ｄは、カム枠２５に対して相対的に矢印Ｂ方向に移動しているともいえる。
【００９７】
なお、通常撮影モードからマクロ撮影モードに切り替えた後には、カムピン２４ｄは、第２直線部６１ｃの略中央のマクロ位置Ｐ２に配置される。
【００９８】
図２０Ａは、通常撮影モードにおける距離目盛リング１４とカムピン枠２４とカム枠２５の関係を示す図である。図２０Ｂは、マクロ撮影モード時における距離目盛リング１４とカムピン枠２４とカム枠２５の関係を示す図である。
【００９９】
カム枠２５の回転によって、カムピン２４ｄは第１直線部６１ａから第２直線部６１ｃに移動する。また、カムピン２４ｄは固定枠１７の第１貫通ガイド溝１７ｃに挿入されているため、カムピン２４ｄは光軸Ｘに沿って前方（矢印Ｘ１）へと移動する。これにより、カムピン２４ｄが形成されているカムピン枠２４が光軸Ｘに沿って前方（矢印Ｘ１方向）へと移動する。
【０１００】
このカムピン枠２４の光軸Ｘにおける前方への移動に伴って、カムピン枠２４と嵌合している距離目盛リング１４も前方へと移動する。
【０１０１】
ここで、距離目盛リング１４はカムピン枠２４に対して回動自在に設けられているが、貫通溝１４ｅに固定ボタン２１が挿入されているため、固定ボタン２１が光軸方向へのガイドとして機能し、距離目盛リング１４は周方向に回転せず光軸Ｘに沿って移動する。なお、カムピン３８は第２カム溝６２に挿入されており、カムピン３８は第２貫通ガイド溝１７ｄにも挿入されているため、マクロ切替リング１６の矢印Ａ方向への回転によってカムピン３８が光軸Ｘに沿って前方（矢印Ｘ１）へと移動し、レンズユニット１０が光軸Ｘに沿って前方（矢印Ｘ１）へと移動する。
【０１０２】
図２１Ａは、通常撮影モードにおける距離目盛リング１４の表示の見え方を説明するための図である。図２１Ｂは、マクロ撮影モードにおける距離目盛リング１４の表示の見え方を説明するための図である。
【０１０３】
図２１Ａに示すように、通常撮影モードでは、使用者は第１距離目盛表示１４ｂを視認し、マクロ撮影モード用の第２距離目盛表示１４ｃは深度目盛リング１５によって覆われている。なお、図２１では、斜線部分の目盛は隠れて見えないものとする。
【０１０４】
一方、図２０Ａおよび図２０Ｂで説明したように、通常撮影モードからマクロ撮影モードに切替えて距離目盛リング１４が光軸Ｘに沿って前方（矢印Ｘ１）に移動すると、距離目盛リング１４の前端側の部分がフォーカスリング１２の内側にもぐりこみ、第２距離目盛表示１４ｃが深度目盛リング１５の内側から現れる。これによって、使用者はマクロ撮影モードのときには、マクロ撮影モード用の第１距離目盛表示１４ｂを視認でき、通常撮影モードのときには、通常撮影モード用の第２距離目盛表示１４ｃを視認できる。
【０１０５】
なお、図２０Ａおよび図２０Ｂに示すように、貫通溝１４ｅに固定ボタン２１が挿入されているため、距離目盛リング１４はフォーカスリング１２の回転とともに回転する。
【０１０６】
（主な特徴）
（１）
本実施の形態に係るレンズ鏡筒１は、レンズユニット１０と、固定枠１７（支持枠の一例）と、フォーカスリング１２と、フォーカスグリップ２０（操作部の一例）と、固定部４０とを備えている。レンズユニット１０は、光学系を有する。固定枠１７は、レンズユニット１０を光学系の光軸Ｘ方向に移動可能に支持する。フォーカスリング１２は、レンズユニット１０の外周側に配置されフォーカス調整を手動で行う場合に回転操作される。フォーカスグリップ２０は、フォーカスリング１２から外側に突出して設けられ、フォーカスリング１２を回転するために操作される。固定部４０は、フォーカス調整を自動で行う場合にフォーカスリング１２を固定枠１７に固定する。固定部４０は、固定ボタン２１を有する。固定ボタン２１は、フォーカスグリップ２０に配置されフォーカスリング１２を固定枠１７に固定する際に操作される。
【０１０７】
このようにフォーカスグリップ２０に固定ボタン２１が設けられているため、使用者は、指をフォーカスリング１２にそえた状態でマニュアルフォーカスモードとオートフォーカスモードの切り替えを容易に行うことが出来る。
【０１０８】
（２）
本実施の形態のレンズ鏡筒１は、距離目盛リング１４を更に備えている。距離目盛リング１４は、貫通溝１４ｅと、第１距離目盛表示１４ｂと、第２距離目盛表示１４ｃとを有する。貫通溝１４ｅは、光軸Ｘ方向に沿って形成され固定ボタン２１が嵌合されている。第１距離目盛表示１４ｂは、周方向に沿って形成され通常撮影モード時の距離目盛を表示する。第２距離目盛表示１４ｃは、第１距離目盛表示１４ｂと光軸Ｘ方向に並んで形成されマクロ撮影モード時の距離目盛を表示する。距離目盛リング１４は、フォーカスリング１２の回転の際に固定ボタン２１と貫通溝１４ｅの嵌合によりフォーカスリング１２とともに回転する。
【０１０９】
これにより距離表示を切り替え可能な距離目盛リング１４であってもフォーカスリング１２とともに回転させることが出来る。
【０１１０】
また、距離目盛リング１４をフォーカスリング１２とともに回転させるために、オートフォーカスモードに切り替える際に押下される固定ボタン２１を用いることにより、別部材を設ける必要がなく部品点数を減らすことができる。
【０１１１】
（３）
本実施の形態のレンズ鏡筒１では、第１距離目盛表示１４ｂは、第２距離目盛表示１４ｃよりも通常撮影モードにおいてフォーカスリング１２側に配置されている。通常撮影モードとマクロ撮影モードを切り替える際に、固定ボタン２１が貫通溝１４ｅに沿って相対的に移動することで距離目盛リング１４はフォーカスリング１２に対して光軸Ｘ方向に相対移動する。マクロ撮影モードにおいて、第１距離目盛表示１４ｂはフォーカスリング１２の径方向内側に配置され、第２距離目盛表示１４ｃがフォーカスリング１２の隣に配置される。
【０１１２】
これにより、マクロ撮影モードの場合には、マクロ撮影用の第２距離目盛表示１４ｃを使用者に視認させることが出来る。
【０１１３】
（４）
本実施の形態のレンズ鏡筒１は、カムピン枠２４と、カム枠２５とを備える。カムピン枠２４は、内周面２４ｃにカムピン２４ｄを有し、距離目盛リング１４の内側に配置される。カム枠２５は、カムピン２４ｄに嵌合する第１カム溝６１（カム溝の一例）を有し、カムピン２４ｄが第１カム溝６１に嵌合した状態でカムピン枠２４が相対回転することでカムピン枠２４を光軸Ｘ方向に相対移動させる。
【０１１４】
カムピン枠２４は、距離目盛リング１４と、周方向に相対回転可能且つ光軸Ｘ方向における相対移動が規制されるように嵌合している。
【０１１５】
通常撮影モードとマクロ撮影モードを切り替える際に、カム枠２５の回転により、カムピン枠２４が光軸Ｘ方向にカム枠２５に対して相対移動し、カムピン枠２４とともに距離目盛リング１４が光軸Ｘ方向に移動する。
【０１１６】
これにより、距離目盛リング１４を回転可能とした状態で光軸Ｘ方向に移動できる。
【０１１７】
（５）
本実施の形態のレンズ鏡筒１では、固定部４０は、回転規制部１３ｂ（第１規制部の一例）と、移動規制部４５（第２規制部の一例）とを有する。回転規制部１３ｂは、レンズユニット１０に対するフォーカスリング１２の相対回転をオートフォーカス位置（第１位置の一例）と最近接位置（第２位置の一例）の所定の範囲に規制する。移動規制部４５は、フォーカスリング１２のオートフォーカス位置への移動およびオートフォーカス位置からの移動を規制する。移動規制部４５による規制は、固定ボタン２１の押下により解除される。オートフォーカス位置は、フォーカス調整を自動で行う場合に、フォーカスリング１２が固定枠１７に固定される位置である。
【０１１８】
これにより、オートフォーカスモードの場合にフォーカスリング１２を固定枠１７に固定できる。
【０１１９】
（６）
本実施の形態のレンズ鏡筒１では、移動規制部４５は、固定ボール４３（規制部材の一例）と、固定ボールスプリング４４（第１付勢部材の一例）と、固定ピン４１（被規制部材の一例）と、固定ボタンスプリング４２（第２付勢部材の一例）とを有する。固定ボール４３は、固定枠１７の外表面１７ａに形成された凹部１７ｂに配置されている。固定ボールスプリング４４は、凹部１７ｂに配置され固定ボール４３を外表面１７ａから突出するように付勢する。固定ピン４１は、手動でフォーカス調整を行う場合にはフォーカスリング１２の回転に伴って固定枠１７の外表面１７ａに沿って移動し、自動でフォーカス調整を行う場合には外表面１７ａから突出した固定ボール４３の干渉によって移動が規制される。固定ボールスプリング４４は、固定ピン４１を覆うように配置された固定ボタン２１を固定ピン４１に対して外側に付勢する。固定ボタン２１は、固定ボール４３を越えて固定ピン４１を移動させるために、押下により固定ボール４３を凹部１７ｂに押し込む端部２１ａ（押込み部の一例）を持つ。フォーカスリング１２のオートフォーカス位置への移動およびオートフォーカス位置からの移動は、固定ボール４３の固定ピン４１への干渉によって規制される。
【０１２０】
これにより、オートフォーカスモードの場合にフォーカスリング１２を固定枠１７に固定できるとともに、簡単に固定ボタン２１の押下によりオートフォーカス位置からフォーカスリング１２を移動できる。すなわち、容易にオートフォーカスモードとマニュアルフォーカスモードの間の切り替えを行うことが出来る。
【０１２１】
［他の実施形態］
以上、本開示の一実施形態について説明したが、本開示は上記実施形態に限定されるものではなく、開示の要旨を逸脱しない範囲で種々の変更が可能である。
【０１２２】
（Ａ）
上記実施の形態では、インデックスリング１３によってフォーカスリング１２の回転範囲が規制されていたが、このような構成に限られるものではない。例えば、固定枠１７に、フォーカスリング１２の突起１２ｃ、１２ｄに当接する部分を形成し、フォーカスリング１２の回転範囲を規制してもよい。
【０１２３】
（Ｂ）
上記実施の形態では、通常撮影モードの場合には、マクロ撮影モードの場合に用いられる第２距離目盛表示１４ｃが深度目盛リング１５によって隠れていたが、深度目盛リング１５が設けられていなくてもよい。
【０１２４】
（Ｃ）
上記実施の形態のレンズ鏡筒１は、レンズマウント１９を有しておりカメラ本体に着脱可能な交換レンズであるが、着脱できずカメラ本体に固定されていてもよい。
【産業上の利用可能性】
【０１２５】
本開示のレンズ鏡筒は、マニュアルフォーカスモードとオートフォーカスモードの切替えの操作性を向上できという効果を有し、カメラに用いるレンズ鏡筒等として有用である。
【符号の説明】
【０１２６】
１  レンズ鏡筒
１０  レンズユニット
１１  絞りリング
１２  フォーカスリング
１３  インデックスリング
１３ａ  マーク表示部
１３ｂ  回転規制部（第１規制部の一例）
１４  距離目盛リング
１４ｂ  第１距離目盛表示
１４ｃ  第２距離目盛表示
１４ｅ  貫通溝
１５  深度目盛リング
１６  マクロ切替リング
１７  固定枠（支持枠の一例）
１８  後枠
１９  レンズマウント
２０  フォーカスグリップ（操作部の一例）
２１  固定ボタン
２１ａ  端部（押込み部の一例）
２２  レンズ制御基板
２３  リニアエンコーダ
２４  カムピン枠
２５  カム枠
３１  １群レンズ枠ユニット
３２  ２群レンズ枠ユニット
３３  ３群レンズ枠ユニット
３４  ４群レンズ枠ユニット
３５  ５群レンズ枠ユニット
４０  固定部
４１  固定ピン（被規制部材の一例）
４２  固定ボタンスプリング（第２付勢部材の一例）
４３  固定ボール（規制部材の一例）
４４  固定ボールスプリング（第１付勢部材の一例）
４５  移動規制部（第２規制部の一例）
６１  第１カム溝（カム溝の一例）
６２  第２カム溝
【図１】
2016143327.tif 000003
【図２】
2016143327.tif 000004
【図３】
2016143327.tif 000005
【図４】
2016143327.tif 000006
【図５】
2016143327.tif 000007
【図６】
2016143327.tif 000008
【図７Ａ】
2016143327.tif 000009
【図７Ｂ】
2016143327.tif 000010
【図７Ｃ】
2016143327.tif 000011
【図８】
2016143327.tif 000012
【図９】
2016143327.tif 000013
【図１０】
2016143327.tif 000014
【図１１Ａ】
2016143327.tif 000015
【図１１Ｂ】
2016143327.tif 000016
【図１２Ａ】
2016143327.tif 000017
【図１２Ｂ】
2016143327.tif 000018
【図１３Ａ】
2016143327.tif 000019
【図１３Ｂ】
2016143327.tif 000020
【図１４】
2016143327.tif 000021
【図１５】
2016143327.tif 000022
【図１６】
2016143327.tif 000023
【図１７】
2016143327.tif 000024
【図１８】
2016143327.tif 000025
【図１９】
2016143327.tif 000026
【図２０Ａ】
2016143327.tif 000027
【図２０Ｂ】
2016143327.tif 000028
【図２１Ａ】
2016143327.tif 000029
【図２１Ｂ】
2016143327.tif 000030
【手続補正書】
【提出日】平成29年9月1日(2017.9.1)
【手続補正１】
【補正対象書類名】明細書
【補正対象項目名】全文
【補正方法】変更
【補正の内容】
【発明の詳細な説明】
【技術分野】
【０００１】
本開示は、レンズ鏡筒に関する。
【背景技術】
【０００２】
レンズ鏡筒として、オートフォーカスモードとマニュアルフォーカスモードを切り替える切替スイッチと、マニュアルフォーカスモードの場合に手動でフォーカス調整を行うためのフォーカスリングが設けられた構成が開示されている（例えば、特許文献１参照）。
【０００３】
特許文献１では、レンズ鏡筒の上側に切替スイッチが設けられており、切替スイッチの光軸方向後側にフォーカスリングが配置されている。
【先行技術文献】
【特許文献】
【０００４】
【特許文献１】特開２０１１−１０００７６号公報
【発明の概要】
【０００５】
しかしながら、上記従来のレンズ鏡筒では、以下に示すような問題点を有している。
【０００６】
すなわち、上記公報に開示されたレンズ鏡筒では、切替スイッチとフォーカスリングが別々に設けられているため、操作性が悪かった。
【０００７】
例えば、マニュアルフォーカスモードでのフォーカス調整中に急いでオードフォーカスモードに切り替える場合、フォーカスリングから一旦手を離し切替スイッチを操作する必要があった。特に、ファインダーを覗いている最中には切替スイッチを手探りで探してから操作することになり、操作性が悪かった。
【０００８】
本発明の課題は、マニュアルフォーカスモードとオートフォーカスモードの切替えの操作性が向上したレンズ鏡筒を提供することにある。
【０００９】
本開示に係るレンズ鏡筒は、レンズユニットと、支持枠と、フォーカスリングと、操作部と、固定部とを備えている。レンズユニットは、光学系を有する。支持枠は、レンズユニットを光学系の光軸方向に移動可能に支持する。フォーカスリングは、レンズユニットの外周側に配置されフォーカス調整を手動で行う場合に回転操作される。操作部は、フォーカスリングから外側に突出して設けられ、フォーカスリングを回転するために操作される。固定部は、フォーカス調整を自動で行う場合にフォーカスリングを支持枠に固定する。固定部は、固定ボタンを有する。固定ボタンは、操作部に配置されフォーカスリングを支持枠に固定する際に操作される。
【００１０】
本開示に係るレンズ鏡筒によれば、マニュアルフォーカスモードとオートフォーカスモードの切替えの操作性を向上できる。
【図面の簡単な説明】
【００１１】
【図１】図１は、本開示の一実施形態に係るレンズ鏡筒の構成を示す全体斜視図である。
【図２】図２は、図１のレンズ鏡筒の全体斜視図である。
【図３】図３は、図１のレンズ鏡筒の平面図である。
【図４】図４は、図１のレンズ鏡筒の主要部品の分解斜視図である。
【図５】図５は、図１のレンズ鏡筒の内部構成を示す断面図である。
【図６】図６は、図１のレンズ鏡筒のフォーカスリングを示す斜視図である。
【図７Ａ】図７Ａは、図１のレンズ鏡筒のインデックスリングを示す斜視図である。
【図７Ｂ】図７Ｂは、図７Ａのインデックスリングの側面図である。
【図７Ｃ】図７Ｃは、図７Ａのインデックスリングの背面図である。
【図８】図８は、図３のＣＣ´間の矢示断面図である。
【図９】図９は、図８の断面図においてフォーカスリングが最近接位置に到達した状態を示す図である。
【図１０】図１０は、図８の断面図においてフォーカスリングがオートフォーカス位置に到達した状態を示す図である。
【図１１Ａ】図１１Ａは、図３のＤＤ´間の矢示断面図である。
【図１１Ｂ】図１１Ｂは、図１１Ａの部分拡大図である。
【図１２Ａ】図１２Ａは、図３のＤＤ´間の矢示断面図である。
【図１２Ｂ】図１２Ｂは、図１２Ａの部分拡大図である。
【図１３Ａ】図１３Ａは、図３のＤＤ´間の矢示断面図である。
【図１３Ｂ】図１３Ｂは、図１３Ａの部分拡大図である。
【図１４】図１４は、図１のレンズ鏡筒の距離目盛リングを示す展開図である。
【図１５】図１５は、図１のレンズ鏡筒の距離目盛リングおよびカムピン枠を示す斜視図である。
【図１６】図１６は、図１４および図１５の距離目盛リングとカムピン枠の配置状態を説明する断面図である。
【図１７】図１７は、図１のレンズ鏡筒の固定枠の構成を示す斜視図である。
【図１８】図１８は、図１のレンズ鏡筒のカム枠の構成を示す斜視図である。
【図１９】図１９は、図１８のカム枠を示す展開図である。
【図２０Ａ】図２０Ａは、距離目盛リングの移動を説明するための展開図である。
【図２０Ｂ】図２０Ｂは、距離目盛リングの移動を説明するための展開図である。
【図２１Ａ】図２１Ａは、距離目盛リングの移動による目盛表示の切り替わりを説明するための図である。
【図２１Ｂ】図２１Ｂは、距離目盛リングの移動による目盛表示の切り替わりを説明するための図である。
【発明を実施するための形態】
【００１２】
以下、適宜図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１３】
なお、出願人は、当業者が本開示を十分に理解するために添付図面および以下の説明を提供するのであって、これらによって請求の範囲に記載の主題を限定することを意図するものではない。
【００１４】
（実施形態１）
本開示の一実施形態に係るレンズ鏡筒１について、図１〜図２１を用いて説明すれば以下の通りである。
【００１５】
（レンズ鏡筒１全体の概略構成）
図１および図２は、本実施の形態のレンズ鏡筒１の外観構成を示す斜視図である。図３は、レンズ鏡筒１の平面図である。図４は、レンズ鏡筒１の主要な構成の分解斜視図であり、例えば、化粧リング、フィルターリングなどは省略されている。
【００１６】
本実施の形態に係るレンズ鏡筒１は、カメラ本体（図示せず）に対して着脱可能である。レンズ鏡筒１は、図１〜図３の外観図に示すようにレンズユニット１０と、絞りリング１１と、フォーカスリング１２と、インデックスリング１３と、距離目盛リング１４と、深度目盛リング１５と、マクロ切替リング１６と、固定枠１７と、後枠１８と、レンズマウント１９と、フォーカスグリップ２０と、固定ボタン２１を主に有する。
【００１７】
レンズユニット１０は、その内側に光学系を有している。なお、以下の説明において、前側とは、レンズユニット１０の光軸Ｘ方向における被写体側（図３における光軸Ｘの矢印Ｘ１側）を示し、後側とは、光軸Ｘ（図３参照）方向におけるレンズマウント１９側（図３における光軸Ｘの矢印Ｘ２側）を示す。
【００１８】
絞りリング１１は、レンズユニット１０内に設けられた絞りユニット３７（後述する図５参照）の絞りを調整するためのリング状の部材である。絞りリング１１は、図１〜図４に示すようにレンズ鏡筒１の光軸Ｘ（図３参照）方向における前端近傍に配置されている。絞りリング１１を回転することによって絞りの調整が行われる。
【００１９】
フォーカスリング１２は、レンズユニット１０内の光学系によって撮像素子に形成された被写体像のフォーカス調整を行うリング状の部材である。フォーカスリング１２は、絞りリング１１の光軸Ｘ方向における後側に配置されている。マニュアルフォーカスモードにおいてフォーカスリング１２を回転することによって手動でのフォーカス調整が行われる。
【００２０】
インデックスリング１３は、絞りリング１１の前側に配置されており、その一部が絞りリング１１の内側に挿入されている。インデックスリング１３は、レンズユニット１０に対するフォーカスリング１２の回転を所定範囲内に規制する。
【００２１】
距離目盛リング１４は、フォーカスリング１２の回転操作とともに回転し、被写体までの距離情報を表示する。距離目盛リング１４は、フォーカスリング１２の後側に配置されている。距離目盛リング１４には、通常撮影時の距離目盛とマクロ撮影時の距離目盛が表示されている。
【００２２】
深度目盛リング１５は、距離目盛リング１４の後側に配置されており、被写界深度の目盛りが表示されている。
【００２３】
マクロ切替リング１６は、通常撮影モードとマクロ撮影モードの切替を行うリング状部材である。マクロ切替リング１６は、深度目盛リング１５の後側に配置されている。マクロ切替リング１６を回転することによって、距離目盛リング１４とレンズユニット１０が光軸方向に沿って移動し、通常撮影モードとマクロ撮影モードの切替が行われる。
【００２４】
固定枠１７は、フォーカスリング１２、絞りリング１１、インデックスリング１３、距離目盛リング１４、深度目盛リング１５およびマクロ切替リング１６の内側に配置され、これらのリング状の部材を回転可能に支持する。また、固定枠１７は、レンズユニット１０の外側に配置され、レンズユニット１０を光軸方向に移動可能に支持する。
【００２５】
後枠１８は、固定枠１７と接続されており、レンズマウント１９は、固定枠１７または後枠１８に接続される。レンズマウント１９によってレンズ鏡筒１はカメラ本体に着脱される。
【００２６】
フォーカスグリップ２０（操作部の一例）は、図１〜３に示すようにフォーカスリング１２の外周側に、フォーカスリング１２から突出するように配置されている。フォーカスグリップ２０は、フォーカスリング１２を回転操作する際に、操作しやすくするための指を引っ掛ける部材である。フォーカスグリップ２０は、図１に示すように、指を当てやすくするためレンズ鏡筒１の周に沿った中央が凹むように湾曲して形成されている。また、フォーカスグリップ２０の表面には、指を引っ掛け易くするために凹凸形状が形成されている。
【００２７】
固定ボタン２１は、フォーカスグリップ２０に配置されており、その一部がフォーカスグリップ２０の表面から露出している。固定ボタン２１は、自動でのフォーカス調整を行う際に押下される。固定ボタン２１は、インデックスリング１３の回転規制部１３ｂ（後述する）とともにフォーカスリング１２を固定枠１７に固定する固定部４０（後述する）の一部を構成する。
【００２８】
（レンズユニット）
図５は、本実施の形態のレンズ鏡筒１の内部構成を示す図である。レンズユニット１０は、外形が略円筒形状であって、図５に示すように、光軸Ｘに沿って１０枚のレンズＬ１〜Ｌ１０を含む光学系を保持する６つのレンズ枠（１群レンズ枠ユニット３１、２群レンズ枠ユニット３２、３群レンズ枠ユニット３３、４群レンズ枠ユニット３４、５群レンズ枠ユニット３５およびレンズ枠３６）と、絞りユニット３７と、を有する。
【００２９】
１０枚のレンズＬ１〜Ｌ１０は、図５に示すように、光軸Ｘに沿って、前側（被写体側）からこの順に配置されており、カメラ本体に搭載された撮像素子（図示せず）に対して、被写体像を導く。
【００３０】
１群レンズ枠ユニット３１は、図５に示すように、最も被写体側に配置されており、レンズユニット１０の外枠を形成する円筒部３１ａと、円筒部３１ａの内側に保持された３枚のレンズＬ１〜Ｌ３を含んでいる。
【００３１】
２群レンズ枠ユニット３２は、図５に示すように、円筒部３１ａの内側に配置されており、レンズＬ５を有している。レンズＬ５は、図５に示すように、被写体側に向かって凸形状を有し、光軸ＸにおけるレンズＬ３の後側に配置されている。
【００３２】
レンズ枠３６は、１群レンズ枠ユニット３１の円筒部３１ａの内側に配置されており、レンズＬ４を有する。レンズＬ４は、レンズＬ３とレンズＬ５の間に配置されている。
【００３３】
３群レンズ枠ユニット３３は、図５に示すように、４群レンズ枠ユニット３４の筒状部３４ａの内周側に、光軸Ｘにおいて移動可能な状態で配置されている。そして、３群レンズ枠ユニット３３は、レンズＬ６，Ｌ７を有している。なお、３群レンズ枠ユニット３３は、図示しないアクチュエータによって駆動されることで、光軸Ｘ方向において前後に移動する。レンズＬ６は、カメラ本体（図示せず）側に向かって凸形状を有し、光軸Ｘ方向における被写体側から見て、絞りユニット３７の下流側に配置されている。レンズＬ７は、レンズＬ６の凸形状に当接する凹形状を有し、レンズＬ６に当接した状態で配置されている。
【００３４】
４群レンズ枠ユニット３４は、図５に示すように、レンズユニット１０の外枠を形成する筒状部３４ａと、筒状部３４ａの内側に保持された２つのレンズＬ８，Ｌ９を保持する。レンズＬ８は、被写体側およびカメラ本体側の双方に凹んだ凹形状を有しており、レンズＬ５の後側に配置されている。レンズＬ９は、レンズＬ８の後側に配置されており、レンズＬ８の凹形状に当接する凸形状を有している。
【００３５】
５群レンズ枠ユニット３５は、図５に示すように、４群レンズ枠ユニット３４の筒状部３４ａの内周側に、光軸Ｘに沿って移動可能な状態で配置されている。５群レンズ枠ユニット３５は、レンズＬ９の後側に配置されている。５群レンズ枠ユニット３５は、図示しないアクチュエータによって駆動されることで、光軸Ｘ方向において前後に移動する。５群レンズ枠ユニット３５は、レンズＬ１０を保持している。
【００３６】
レンズＬ１０は、カメラ本体（図示せず）側に向かって凸形状を有し、光軸Ｘにおける被写体側から見て、レンズＬ９の下流側に配置されている。つまり、レンズＬ１０は、レンズ鏡筒１に含まれる光学系のうち、最もレンズマウント１９側に配置されている。
【００３７】
絞りユニット３７は、２群レンズ枠ユニット３２と３群レンズ枠ユニット３３の間に配置されている。絞りリング１１の操作によって開口が調整される。
【００３８】
なお、図４および図５に示すように、レンズユニット１０内のレンズ枠ユニットを移動するためのレンズ制御基板２２が、レンズユニット１０の後側に配置されている。
【００３９】
レンズユニット１０の４群レンズ枠ユニット３４の筒状部３４ａの外表面には、図４の拡大図Ｖに示すようにカムピン３８がビス３９によって固定される。カムピン３８は、４群レンズ枠ユニット３４の筒状部に外周面において略等間隔で３つ設けられている。
【００４０】
（フォーカスリング、インデックスリング）
フォーカスリング１２は、固定枠１７の外周に配置されている。フォーカスリング１２は、手動でフォーカス調整を行う場合にユーザによって回転操作される。そのため、フォーカスリング１２の外周面１２ａには、回転させ易くするために凹凸形状が形成されている。
【００４１】
フォーカスリング１２は、固定枠１７の外周に回転可能に配置されているが、固定枠１７と固定されているインデックスリング１３によって所定の範囲以上の回転が規制されている。
【００４２】
図６は、フォーカスリング１２の構成を示す斜視図である。フォーカスリング１２の前側の周縁１２ｂには、前方に向かって突出した２つの突起１２ｃ、１２ｄが所定の間隔を空けて形成されている。２つの突起１２ｃ、１２ｄは、周方向において近傍に配置されている。
【００４３】
図７Ａはインデックスリング１３の斜視図であり、図７Ｂはインデックスリング１３の側面図であり、図７Ｃはインデックスリング１３の正面図である。図８は、図３のＣＣ´間の矢示断面図である。
【００４４】
インデックスリング１３は、マーク表示部１３ａと、回転規制部１３ｂとを有する。マーク表示部１３ａは、レンズ鏡筒１の外側に露出され、絞り目盛をあわせるための基準となる基準位置マーク１３ｇ（図２参照）が付されている。回転規制部１３ｂは、マーク表示部１３ａよりも外径が小さく、絞りリング１１の内側に挿入される。回転規制部１３ｂは、絞りリング１１およびフォーカスリング１２の回転を所定の範囲で規制する。
【００４５】
図７Ａ〜図７Ｃに示すように回転規制部１３ｂの内周面１３ｃには、突起１２ｃおよび突起１２ｄが挿入される挿入部１３ｄが設けられている。挿入部１３ｄの両端には、壁部１３ｅ、１３ｆ（図中点線部分参照）が形成されている。この壁部１３ｅ、１３ｆによって、インデックスリング１３の回転規制部１３ｂの内周面１３ｃと固定枠１７の外表面１７ａの間に隙間Ｗが形成され、この隙間Ｗに突起１２ｃと突起１２ｄが挿入される。
【００４６】
この壁部１３ｅと壁部１３ｆの間において、突起１２ｃ、１２ｄが周方向に沿って移動できる。
【００４７】
図６において、フォーカスリング１２が矢印Ａ方向に回転することによって、フォーカス位置が近接側になる。また、フォーカスリング１２が矢印Ｂ方向に回転することによって、フォーカス位置が遠方側に移動する。なお、矢印Ｂ方向の端のフォーカスリング１２の位置は、フォーカス調整を自動で行うオートフォーカスモードの場合にフォーカスリング１２が固定枠１７に固定される位置（以下、オートフォーカス位置ともいう）である。また、矢印Ａ方向の端のフォーカスリング１２の位置は、フォーカス調整を手動で行うマニュアルフォーカスモードの場合に被写体との距離が最も近い最近接位置である。
【００４８】
図９は、フォーカスリング１２を矢印Ａ方向に回転させた際に回転規制部１３ｂによって規制された状態を示す図であり、図８の部分拡大図に対応する。図に示すようにフォーカスリング１２が矢印Ａ方向に回転すると突起１２ｄが壁部１３ｅに当接し、それ以上の矢印Ａ方向へのフォーカスリング１２の回転が規制される。
【００４９】
図１０は、フォーカスリング１２を矢印Ｂ方向に回転させた際に回転規制部１３ｂによって規制された状態を示す図であり、図８の部分拡大図に対応する。図に示すように、フォーカスリング１２が矢印Ｂ方向に回転すると突起１２ｃが壁部１３ｆに当接し、それ以上の矢印Ｂ方向へのフォーカスリング１２の回転が規制される。
【００５０】
なお、フォーカスリング１２の回転位置は、リニアエンコーダ２３（図４参照）によって検出されレンズ制御基板２２等へ伝達される。
【００５１】
（固定部）
図１１Ａは、図３のＤＤ´間の矢示断面図である。図１１Ａは、フォーカスリング１２を矢印Ｂ方向に回転移動させた状態を示す図である。図１１Ｂは、図１１Ａの固定ボタン２１近傍の部分拡大図である。図４のＳ部拡大図には、フォーカスグリップ２０および固定ボタン２１が示されている。
【００５２】
固定部４０は、オートフォーカスモードにおいてフォーカスリング１２を固定枠１７に固定する。
【００５３】
固定部４０は、図７Ａ〜図７Ｃに示す回転規制部１３ｂ（第１規制部の一例）と、図１１Ａ、図１１Ｂに示す移動規制部４５（第２規制部の一例）とを有する。回転規制部１３ｂは、上述のようにフォーカスリング１２をオートフォーカス位置（第１位置の一例）と最近接位置（第２位置の一例）の間の範囲でのみ回転移動できるように規制する。
【００５４】
移動規制部４５は、フォーカスリング１２のオートフォーカス位置への回転移動およびオートフォーカス位置からの回転移動を規制する。
【００５５】
移動規制部４５は、固定ボタン２１と、固定ピン４１と、固定ボタンスプリング４２と、固定ボール４３と、固定ボールスプリング４４と、を有する。
【００５６】
固定ボタン２１は、フォーカスグリップ２０に形成された貫通孔２０ａに挿通されている。固定ボタン２１の光軸Ｘを基準とした径方向外側はフォーカスグリップ２０の外表面から露出している。
【００５７】
固定ボタン２１は、径方向内側に開口した内部空間を有しており、固定ピン４１は、その内部空間に挿入配置されている。いいかえると、固定ボタン２１は、固定ピン４１を覆うように配置されている。固定ピン４１は、円柱状の第１部分４１ａと、第１部分４１ａよりも径の小さい第２部分４１ｂと、第１部分４１ａよりも径の小さい第３部分４１ｃとを有する。第１部分４１ａ、第２部分４１ｂおよび第３部分４１ｃは、中心軸が光軸Ｘ方向を基準とした径方向を向くように配置されている。第２部分４１ｂは、第１部分４１ａの径方向外側の面に配置され、第３部分４１ｃは、第１部分４１ａの径方向内側の面に配置されている。
【００５８】
固定ピン４１の内側の端４１ｄは、固定枠１７の外表面１７ａに当接している。
【００５９】
固定ボタンスプリング４２は、第２部分４１ｂに外側から差込むように、固定ボタン２１の内部空間内に配置されている。固定ボタンスプリング４２は、その径方向内側の端が第１部分４１ａに当接し、径方向外側の端が固定ボタン２１の内部空間の径方向外側の面に当接している。この固定ボタンスプリング４２によって、固定ボタン２１は、固定ピン４１に対して径方向外側に向かって付勢されている。
【００６０】
また、固定枠１７の外表面１７ａには、凹部１７ｂが形成されており、固定ボールスプリング４４は凹部１７ｂ内に挿入されている。
【００６１】
固定ボール４３は、凹部１７ｂに嵌められ固定ボールスプリング４４の径方向外側に配置されている。固定ボール４３は、固定ボールスプリング４４によって径方向外側に向かって付勢されている。
【００６２】
固定ボール４３は、フォーカスリング１２を矢印Ｂ方向に回転させた際に、意図せずオートフォーカス位置に移動しないようにオートフォーカス位置へのフォーカスリング１２の回転移動を規制する。また、後述の図１２および図１３において説明するが、意図せずにオートフォーカス位置からフォーカスリング１２を矢印Ａ方向に回させてマニュアルフォーカスモードに切り替えないように、固定ボール４３は、フォーカスリング１２のオートフォーカス位置からの矢印Ａ方向への移動を規制する。
【００６３】
（マニュアルフォーカスモードからオートフォーカスモードへの切替）
マニュアルフォーカスモードからオートフォーカスモードに切替える際に、フォーカスリング１２の固定枠１７への固定が行われる。
【００６４】
以上の構成によるフォーカスリング１２の固定枠１７への固定について以下に説明する。図１２Ａおよび図１３Ａは、フォーカスリング１２の固定動作を説明するための図３のＤＤ´間の矢示断面図である。図１２Ｂは図１２Ａの部分拡大図であり、図１３Ｂは、図１３Ａの部分拡大図である。
【００６５】
マニュアルフォーカスモードからオートフォーカスモードに切り替えるために、フォーカスリング１２を矢印Ｂ方向に回転移動させると、固定枠１７の外表面１７ａから突出する固定ボール４３が固定ピン４１の第３部分４１ｃに当接し、フォーカスリング１２の矢印Ｂ方向への回転が規制される（図１１Ａ、図１１Ｂ参照）。このようにオートフォーカス位置へのフォーカスリング１２の矢印Ｂ方向への移動が規制されることにより、使用者が意図せずマニュアルフォーカスモードからオートフォーカスモードに切り替えてしまうことを防げる。
【００６６】
この固定ボール４３によって規制された状態では、図１１Ａ、図１１Ｂに示すように固定ボタン２１の径方向内側の端部２１ａが、固定ボール４３の径方向外側に位置している。
【００６７】
次に、使用者が固定ボタン２１を押下することによって、図１２Ａ、図１２Ｂに示すように、固定ボタン２１の端部２１ａによって固定ボール４３が凹部１７ｂ内に押し込まれ、固定ボール４３による固定ピン４１の規制が解除される。
【００６８】
固定ボタン２１が押し込まれた状態で、フォーカスリング１２を更に矢印Ｂ方向に移動すると、図１３Ａ、図１３Ｂに示すように固定ピン４１が凹部１７ｂを通り過ぎ、フォーカスリング１２がオートフォーカス位置に到達する。そして、使用者が固定ボタン２１の押下を解除すると、固定ボタン２１が固定ボタンスプリング４２によって径方向外側に移動し、固定ボール４３の凹部１７ｂ内への押込みが解除される。これにより、固定ボール４３は固定ボールスプリング４４の付勢力によって凹部１７ｂから突出し、固定ピン４１の回転方向Ａ側の位置に隣接して配置される。詳細には、固定ボール４３は固定ピン４１の第３部分４１ｃの回転方向Ａ側に隣接し第１部分４１ａに当接している。
【００６９】
このため、フォーカスリング１２を矢印Ａ方向へ移動させようとしても、固定ボール４３が固定ピン４１に干渉するため、フォーカスリング１２の矢印Ａ方向への移動は規制される。このようにオートフォーカス位置からのフォーカスリング１２の矢印Ａ方向への移動が規制されることにより、使用者が意図せずオートフォーカスモードからマニュアルフォーカスモードに切り替えてしまうことを防げる。
【００７０】
一方、図１３Ａ、図１３Ｂに示すフォーカスリング１２の位置では、図１０に示すようにフォーカスリング１２の突起１２ｃが壁部１３ｆに当接しており、フォーカスリング１２の矢印Ｂ方向への移動が規制されている。
【００７１】
この固定ボール４３による矢印Ａ方向への回転の規制と、壁部１３ｆによる矢印Ｂ方向への回転の規制によって、フォーカスリング１２は、図１３Ａ、図１３Ｂに示すオートフォーカス位置において固定される。
【００７２】
（距離目盛リング）
図１４は、距離目盛リング１４の平面図である。距離目盛リング１４は、外周面１４ａに形成された通常撮影モード用の第１距離目盛表示１４ｂと、マクロ撮影モード用の第２距離目盛表示１４ｃを有している。
【００７３】
第１距離目盛表示１４ｂは、第２距離目盛表示１４ｃの光軸Ｘ方向における前側に配置されている。
【００７４】
図１５は、距離目盛リング１４およびカムピン枠２４の拡大斜視図である。
【００７５】
図１５に示すように距離目盛リング１４は、その光軸Ｘ方向の前側の周縁１４ｄから光軸Ｘ方向に沿って形成された貫通溝１４ｅを有している。この貫通溝１４ｅには、図１１Ｂに示すように、固定ボタン２１が嵌められている。図１１Ｂでは、わかりやすくするために距離目盛リング１４にハッチングを施している。
【００７６】
また、距離目盛リング１４の内周面１４ｆであって貫通溝１４ｅの後側には、周方向に沿って一周にわたってガイド溝１４ｇが形成されている。更に内周面１４ｆには、ガイド溝１４ｇにカムピン枠２４の突起２４ｂに挿入するための挿入溝１４ｈが形成されている。挿入溝１４ｈは、光軸方向Ｘに沿って形成されており、周方向において３箇所に略等間隔に配置されている。
【００７７】
距離目盛リング１４は、マクロ切替リング１６が回転操作されると、図４に示す固定枠１７、カムピン枠２４、カム枠２５、固定ボタン２１等によって光軸方向に移動される。
【００７８】
（カムピン枠）
カムピン枠２４は、距離目盛リング１４の内側に配置される。カムピン枠２４は、外周面２４ａに、３箇所の突起２４ｂを有している。この突起２４ｂは周方向において略等間隔に設けられている。この突起２４ｂが、後側から距離目盛リング１４の挿入溝１４ｈに沿ってガイド溝１４ｇに挿入され、カムピン枠２４は、距離目盛リング１４の内側に配置される。また、ガイド溝１４ｇに沿って突起２４ｂが周方向に移動できるため、距離目盛リング１４はカムピン枠２４に対して回転自在に構成される。
【００７９】
図１６は、突起２４ｂがカムピン枠２４に嵌っている状態を示す光軸Ｘと平行な断面図である。カムピン枠２４を光軸方向における前後方向に移動すると、突起２４ｂがガイド溝１４ｇの光軸方向における前後方向の縁１４ｇ１、１４ｇ２に当接するため、カムピン枠２４とともに距離目盛リング１４は前後方向に移動する。
【００８０】
また、カムピン枠２４は、内周面２４ｃにカムピン２４ｄを有している。このカムピン２４ｄは、固定枠１７の外周面に光軸方向に沿って形成された第１貫通ガイド溝１７ｃ（図１７参照）に嵌っている。
【００８１】
カムピン枠２４のカムピン２４ｄは、第１貫通ガイド溝１７ｃを貫通して、固定枠１７の径方向内側に配置されるカム枠２５の第１カム溝６１（図１８参照）に嵌っている。
【００８２】
（固定枠）
図１７は、固定枠１７の外観を示す斜視図である。
【００８３】
固定枠１７（支持枠の一例）は、アルミで形成された円筒状の部材であって、上述したように外表面１７ａに凹部１７ｂ（図１１Ａ参照）を有し、凹部１７ｂには、固定ボールスプリング４４と固定ボール４３が配置されている。
【００８４】
固定枠１７の外表面１７ａには、第１貫通ガイド溝１７ｃと、第２貫通ガイド溝１７ｄと、第３貫通ガイド溝１７ｅが形成されている。
【００８５】
第１貫通ガイド溝１７ｃは、光軸Ｘ方向に沿って形成されており、周方向において略等間隔で３箇所に形成されている。第１貫通ガイド溝１７ｃには、固定枠１７の径方向外側に配置されるカムピン枠２４の突起２４ｂが外側から挿通されている。
【００８６】
第２貫通ガイド溝１７ｄは、光軸Ｘ方向に沿って形成されており、周方向において略等間隔で３箇所に形成されている。第２貫通ガイド溝１７ｄには、レンズユニット１０に設けられたカムピン３８が内側から挿入されている。なお、第１貫通ガイド溝１７ｃと第２貫通ガイド溝１７ｄは周方向において交互に形成されている。
【００８７】
第３貫通ガイド溝１７ｅは、固定枠１７の後端よりに周方向に沿って形成されている。この第３貫通ガイド溝１７ｅは、周方向において略等間隔で３箇所に形成されている。そして、第３貫通ガイド溝１７ｅには、固定枠１７の内側に配置されるカム枠２５に配置されたカムピン５１が内側から挿入されている。
【００８８】
（カム枠）
図１８は、カム枠２５の斜視図である。
【００８９】
カム枠２５は、図４に示すようにアルミで形成された円筒状の部材であって、４群レンズ枠ユニット３４の外周面側であって固定枠１７の内周面側に配置されている。
【００９０】
カム枠２５は、複数のカム溝が形成されている筒状部２５ａと、筒状部２５ａの光軸Ｘ方向における後側に筒状部２５ａよりも径方向外側に突出した縁部２５ｂとを有する。
【００９１】
縁部２５ｂには、周方向に沿って３箇所にカムピン５１が配置されている。カムピン５１は、ビス５２によって縁部２５ｂの外表面に固定されている。カムピン５１は、図１６に示すように固定枠１７の第３貫通ガイド溝１７ｅを介して、マクロ切替リング１６の内側の凹部１６ａ（図４参照）に嵌合している。
【００９２】
これにより、マクロ切替リング１６を回転させることによって、カムピン５１も回転し、カム枠２５が回転する。
【００９３】
筒状部２５ａには、３つの第１カム溝６１と、３つの第２カム溝６２が形成されている。第１カム溝６１と第２カム溝６２は周方向に交互に設けられている。
【００９４】
図１９は、カム枠２５を内側から見た部分展開図である。図１９に示すように、第１カム溝６１は、距離目盛リング１４を光軸方向に駆動するカム溝であって、固定枠１７の第１貫通ガイド溝１７ｃを貫通したカムピン枠２４のカムピン２４ｄが外側から挿入されている。第１カム溝６１は、第１直線部６１ａと、傾斜部６１ｂと、第２直線部６１ｃとを有する。第１直線部６１ａは、周方向に沿って直線状に形成されている。傾斜部６１ｂは、第１直線部６１ａのＢ方向側の端から形成されており、矢印Ｂ方向に向かうに従って前側に向かうように傾斜している。第２直線部６１ｃは、傾斜部６１ｂの矢印Ｂ方向の端から周方向に沿って直線状に形成されている。第２直線部６１ｃは、第１直線部６１ａよりもＸ１方向側（被写体側）に配置さている。この第１カム溝６１に沿うようにカムピン２４ｄが移動しながら、カム枠２５はカムピン枠２４に対して相対回転する。
【００９５】
（通常撮影モードとマクロ撮影モードの切替え）
通常撮影モードでは、カムピン２４ｄは、第１直線部６１ａの矢印Ｂ方向側の端（遠方位置）のノーマル位置Ｐ１に配置されている。マクロ切替リング１６を矢印Ａ方向（図４参照）に回転させると、カムピン５１を介してカム枠２５が、矢印Ａ方向に回転する。カム枠２５の回転に伴って、第１カム溝６１に嵌っているカムピン２４ｄは、第１直線部６１ａから傾斜部６１ｂを介して第２直線部６１ｃへと相対移動する。
【００９６】
マクロ切替リング１６の矢印Ａ方向への回転によって、固定枠１７の第３貫通ガイド溝１７ｅに挿入されているカムピン５１を介してカム枠２５が矢印Ａ方向に回転する。この回転に伴って第１カム溝６１も回転し、カムピン２４ｄは第１カム溝６１に沿って移動する。また、カムピン２４ｄは、カム枠２５に対して相対的に矢印Ｂ方向に移動しているともいえる。
【００９７】
なお、通常撮影モードからマクロ撮影モードに切り替えた後には、カムピン２４ｄは、第２直線部６１ｃの略中央のマクロ位置Ｐ２に配置される。
【００９８】
図２０Ａは、通常撮影モードにおける距離目盛リング１４とカムピン枠２４とカム枠２５の関係を示す図である。図２０Ｂは、マクロ撮影モード時における距離目盛リング１４とカムピン枠２４とカム枠２５の関係を示す図である。
【００９９】
カム枠２５の回転によって、カムピン２４ｄは第１直線部６１ａから第２直線部６１ｃに移動する。また、カムピン２４ｄは固定枠１７の第１貫通ガイド溝１７ｃに挿入されているため、カムピン２４ｄは光軸Ｘに沿って前方（矢印Ｘ１）へと移動する。これにより、カムピン２４ｄが形成されているカムピン枠２４が光軸Ｘに沿って前方（矢印Ｘ１方向）へと移動する。
【０１００】
このカムピン枠２４の光軸Ｘにおける前方への移動に伴って、カムピン枠２４と嵌合している距離目盛リング１４も前方へと移動する。
【０１０１】
ここで、距離目盛リング１４はカムピン枠２４に対して回動自在に設けられているが、貫通溝１４ｅに固定ボタン２１が挿入されているため、固定ボタン２１が光軸方向へのガイドとして機能し、距離目盛リング１４は周方向に回転せず光軸Ｘに沿って移動する。なお、カムピン３８は第２カム溝６２に挿入されており、カムピン３８は第２貫通ガイド溝１７ｄにも挿入されているため、マクロ切替リング１６の矢印Ａ方向への回転によってカムピン３８が光軸Ｘに沿って前方（矢印Ｘ１）へと移動し、レンズユニット１０が光軸Ｘに沿って前方（矢印Ｘ１）へと移動する。
【０１０２】
図２１Ａは、通常撮影モードにおける距離目盛リング１４の表示の見え方を説明するための図である。図２１Ｂは、マクロ撮影モードにおける距離目盛リング１４の表示の見え方を説明するための図である。
【０１０３】
図２１Ａに示すように、通常撮影モードでは、使用者は第１距離目盛表示１４ｂを視認し、マクロ撮影モード用の第２距離目盛表示１４ｃは深度目盛リング１５によって覆われている。なお、図２１では、斜線部分の目盛は隠れて見えないものとする。
【０１０４】
一方、図２０Ａおよび図２０Ｂで説明したように、通常撮影モードからマクロ撮影モードに切替えて距離目盛リング１４が光軸Ｘに沿って前方（矢印Ｘ１）に移動すると、距離目盛リング１４の前端側の部分がフォーカスリング１２の内側にもぐりこみ、第２距離目盛表示１４ｃが深度目盛リング１５の内側から現れる。これによって、使用者はマクロ撮影モードのときには、マクロ撮影モード用の第１距離目盛表示１４ｂを視認でき、通常撮影モードのときには、通常撮影モード用の第２距離目盛表示１４ｃを視認できる。
【０１０５】
なお、図２０Ａおよび図２０Ｂに示すように、貫通溝１４ｅに固定ボタン２１が挿入されているため、距離目盛リング１４はフォーカスリング１２の回転とともに回転する。
【０１０６】
（主な特徴）
（１）
本実施の形態に係るレンズ鏡筒１は、レンズユニット１０と、固定枠１７（支持枠の一例）と、フォーカスリング１２と、フォーカスグリップ２０（操作部の一例）と、固定部４０とを備えている。レンズユニット１０は、光学系を有する。固定枠１７は、レンズユニット１０を光学系の光軸Ｘ方向に移動可能に支持する。フォーカスリング１２は、レンズユニット１０の外周側に配置されフォーカス調整を手動で行う場合に回転操作される。フォーカスグリップ２０は、フォーカスリング１２から外側に突出して設けられ、フォーカスリング１２を回転するために操作される。固定部４０は、フォーカス調整を自動で行う場合にフォーカスリング１２を固定枠１７に固定する。固定部４０は、固定ボタン２１を有する。固定ボタン２１は、フォーカスグリップ２０に配置されフォーカスリング１２を固定枠１７に固定する際に操作される。
【０１０７】
このようにフォーカスグリップ２０に固定ボタン２１が設けられているため、使用者は、指をフォーカスリング１２にそえた状態でマニュアルフォーカスモードとオートフォーカスモードの切り替えを容易に行うことが出来る。
【０１０８】
（２）
本実施の形態のレンズ鏡筒１は、距離目盛リング１４を更に備えている。距離目盛リング１４は、貫通溝１４ｅと、第１距離目盛表示１４ｂと、第２距離目盛表示１４ｃとを有する。貫通溝１４ｅは、光軸Ｘ方向に沿って形成され固定ボタン２１が嵌合されている。第１距離目盛表示１４ｂは、周方向に沿って形成され通常撮影モード時の距離目盛を表示する。第２距離目盛表示１４ｃは、第１距離目盛表示１４ｂと光軸Ｘ方向に並んで形成されマクロ撮影モード時の距離目盛を表示する。距離目盛リング１４は、フォーカスリング１２の回転の際に固定ボタン２１と貫通溝１４ｅの嵌合によりフォーカスリング１２とともに回転する。
【０１０９】
これにより距離表示を切り替え可能な距離目盛リング１４であってもフォーカスリング１２とともに回転させることが出来る。
【０１１０】
また、距離目盛リング１４をフォーカスリング１２とともに回転させるために、オートフォーカスモードに切り替える際に押下される固定ボタン２１を用いることにより、別部材を設ける必要がなく部品点数を減らすことができる。
【０１１１】
（３）
本実施の形態のレンズ鏡筒１では、第１距離目盛表示１４ｂは、第２距離目盛表示１４ｃよりも通常撮影モードにおいてフォーカスリング１２側に配置されている。通常撮影モードとマクロ撮影モードを切り替える際に、固定ボタン２１が貫通溝１４ｅに沿って相対的に移動することで距離目盛リング１４はフォーカスリング１２に対して光軸Ｘ方向に相対移動する。マクロ撮影モードにおいて、第１距離目盛表示１４ｂはフォーカスリング１２の径方向内側に配置され、第２距離目盛表示１４ｃがフォーカスリング１２の隣に配置される。
【０１１２】
これにより、マクロ撮影モードの場合には、マクロ撮影用の第２距離目盛表示１４ｃを使用者に視認させることが出来る。
【０１１３】
（４）
本実施の形態のレンズ鏡筒１は、カムピン枠２４と、カム枠２５とを備える。カムピン枠２４は、内周面２４ｃにカムピン２４ｄを有し、距離目盛リング１４の内側に配置される。カム枠２５は、カムピン２４ｄに嵌合する第１カム溝６１（カム溝の一例）を有し、カムピン２４ｄが第１カム溝６１に嵌合した状態でカムピン枠２４が相対回転することでカムピン枠２４を光軸Ｘ方向に相対移動させる。
【０１１４】
カムピン枠２４は、距離目盛リング１４と、周方向に相対回転可能且つ光軸Ｘ方向における相対移動が規制されるように嵌合している。
【０１１５】
通常撮影モードとマクロ撮影モードを切り替える際に、カム枠２５の回転により、カムピン枠２４が光軸Ｘ方向にカム枠２５に対して相対移動し、カムピン枠２４とともに距離目盛リング１４が光軸Ｘ方向に移動する。
【０１１６】
これにより、距離目盛リング１４を回転可能とした状態で光軸Ｘ方向に移動できる。
【０１１７】
（５）
本実施の形態のレンズ鏡筒１では、固定部４０は、回転規制部１３ｂ（第１規制部の一例）と、移動規制部４５（第２規制部の一例）とを有する。回転規制部１３ｂは、レンズユニット１０に対するフォーカスリング１２の相対回転をオートフォーカス位置（第１位置の一例）と最近接位置（第２位置の一例）の所定の範囲に規制する。移動規制部４５は、フォーカスリング１２のオートフォーカス位置への移動およびオートフォーカス位置からの移動を規制する。移動規制部４５による規制は、固定ボタン２１の押下により解除される。オートフォーカス位置は、フォーカス調整を自動で行う場合に、フォーカスリング１２が固定枠１７に固定される位置である。
【０１１８】
これにより、オートフォーカスモードの場合にフォーカスリング１２を固定枠１７に固定できる。
【０１１９】
（６）
本実施の形態のレンズ鏡筒１では、移動規制部４５は、固定ボール４３（規制部材の一例）と、固定ボールスプリング４４（第１付勢部材の一例）と、固定ピン４１（被規制部材の一例）と、固定ボタンスプリング４２（第２付勢部材の一例）とを有する。固定ボール４３は、固定枠１７の外表面１７ａに形成された凹部１７ｂに配置されている。固定ボールスプリング４４は、凹部１７ｂに配置され固定ボール４３を外表面１７ａから突出するように付勢する。固定ピン４１は、手動でフォーカス調整を行う場合にはフォーカスリング１２の回転に伴って固定枠１７の外表面１７ａに沿って移動し、自動でフォーカス調整を行う場合には外表面１７ａから突出した固定ボール４３の干渉によって移動が規制される。固定ボールスプリング４４は、固定ピン４１を覆うように配置された固定ボタン２１を固定ピン４１に対して外側に付勢する。固定ボタン２１は、固定ボール４３を越えて固定ピン４１を移動させるために、押下により固定ボール４３を凹部１７ｂに押し込む端部２１ａ（押込み部の一例）を持つ。フォーカスリング１２のオートフォーカス位置への移動およびオートフォーカス位置からの移動は、固定ボール４３の固定ピン４１への干渉によって規制される。
【０１２０】
これにより、オートフォーカスモードの場合にフォーカスリング１２を固定枠１７に固定できるとともに、簡単に固定ボタン２１の押下によりオートフォーカス位置からフォーカスリング１２を移動できる。すなわち、容易にオートフォーカスモードとマニュアルフォーカスモードの間の切り替えを行うことが出来る。
【０１２１】
［他の実施形態］
以上、本開示の一実施形態について説明したが、本開示は上記実施形態に限定されるものではなく、開示の要旨を逸脱しない範囲で種々の変更が可能である。
【０１２２】
（Ａ）
上記実施の形態では、インデックスリング１３によってフォーカスリング１２の回転範囲が規制されていたが、このような構成に限られるものではない。例えば、固定枠１７に、フォーカスリング１２の突起１２ｃ、１２ｄに当接する部分を形成し、フォーカスリング１２の回転範囲を規制してもよい。
【０１２３】
（Ｂ）
上記実施の形態では、通常撮影モードの場合には、マクロ撮影モードの場合に用いられる第２距離目盛表示１４ｃが深度目盛リング１５によって隠れていたが、深度目盛リング１５が設けられていなくてもよい。
【０１２４】
（Ｃ）
上記実施の形態のレンズ鏡筒１は、レンズマウント１９を有しておりカメラ本体に着脱可能な交換レンズであるが、着脱できずカメラ本体に固定されていてもよい。
【産業上の利用可能性】
【０１２５】
本開示のレンズ鏡筒は、マニュアルフォーカスモードとオートフォーカスモードの切替えの操作性を向上できという効果を有し、カメラに用いるレンズ鏡筒等として有用である。
【符号の説明】
【０１２６】
１    レンズ鏡筒
１０    レンズユニット
１１    絞りリング
１２    フォーカスリング
１３    インデックスリング
１３ａ    マーク表示部
１３ｂ    回転規制部（第１規制部の一例）
１４    距離目盛リング
１４ｂ    第１距離目盛表示
１４ｃ    第２距離目盛表示
１４ｅ    貫通溝
１５    深度目盛リング
１６    マクロ切替リング
１７    固定枠（支持枠の一例）
１８    後枠
１９    レンズマウント
２０    フォーカスグリップ（操作部の一例）
２１    固定ボタン
２１ａ    端部（押込み部の一例）
２２    レンズ制御基板
２３    リニアエンコーダ
２４    カムピン枠
２５    カム枠
３１    １群レンズ枠ユニット
３２    ２群レンズ枠ユニット
３３    ３群レンズ枠ユニット
３４    ４群レンズ枠ユニット
３５    ５群レンズ枠ユニット
４０    固定部
４１    固定ピン（被規制部材の一例）
４２    固定ボタンスプリング（第２付勢部材の一例）
４３    固定ボール（規制部材の一例）
４４    固定ボールスプリング（第１付勢部材の一例）
４５    移動規制部（第２規制部の一例）
６１    第１カム溝（カム溝の一例）
６２    第２カム溝
【手続補正２】
【補正対象書類名】特許請求の範囲
【補正対象項目名】全文
【補正方法】変更
【補正の内容】
【特許請求の範囲】
【請求項１】
光学系を有するレンズユニットと、
前記レンズユニットを前記光学系の光軸方向に移動可能に支持する支持枠と、
前記レンズユニットの外周側に配置され、フォーカス調整を手動で行う場合に前記レンズユニットに対して回転操作されるフォーカスリングと、
前記フォーカスリングから径方向外側に突出して設けられ、前記フォーカスリングを回転操作するために操作される操作部と、
前記フォーカス調整を自動で行う場合に前記フォーカスリングを前記支持枠に固定しておくための固定部と、
を備え、
前記固定部は、前記フォーカスリングを前記支持枠に固定する際に操作される固定ボタンを有し、前記固定ボタンが前記操作部に配置されている、
レンズ鏡筒。
【請求項２】
前記光軸方向に沿って形成され前記固定ボタンが嵌合された貫通溝と、前記光軸に対する周方向に沿って形成され通常撮影モードにおける距離目盛を表示する第１距離目盛表示と、前記第１距離目盛表示と並行となるように形成されマクロ撮影モードにおける距離目盛を表示する第２距離目盛表示と、を有する距離目盛リングを更に備え、
前記距離目盛リングは、前記フォーカスリングの回転の際に前記固定ボタンと前記貫通溝の嵌合により前記フォーカスリングとともに回転する、
請求項１に記載のレンズ鏡筒。
【請求項３】
前記通常撮影モードにおいて、前記第１距離目盛表示は、前記第２距離目盛表示よりも前記光軸方向におけるフォーカスリング側に配置されており、
前記通常撮影モードと前記マクロ撮影モードを切り替える際に、前記固定ボタンが前記貫通溝に沿って相対的に移動することで前記距離目盛リングは前記フォーカスリング対して前記光軸方向に相対移動し、
前記マクロ撮影モードにおいて、前記第１距離目盛表示は前記フォーカスリングの径方向内側に配置され、前記第２距離目盛表示は前記光軸方向における前記フォーカスリングの隣に配置される、
請求項２に記載のレンズ鏡筒。
【請求項４】
内周面にカムピンを有し、前記距離目盛リングの内側に配置されたカムピン枠と、
前記カムピンに嵌合するカム溝を有し、前記カムピンが前記カム溝に嵌合した状態で前記カムピン枠が相対回転することで前記カムピン枠を前記光軸方向に相対移動させるカム枠と、を更に備え、
前記カムピン枠は、前記距離目盛リングと、周方向に相対回転可能且つ前記光軸方向における相対移動が規制されるように嵌合しており、
前記通常撮影モードと前記マクロ撮影モードを切り替える際に、前記カム枠の回転により、前記カムピン枠が前記光軸方向に前記カム枠に対して相対移動し、前記カムピン枠とともに前記距離目盛リングが前記光軸方向に移動する、
請求項２に記載のレンズ鏡筒。
【請求項５】
内周面にカムピンを有し、前記距離目盛リングの内側に配置されたカムピン枠と、
前記カムピンに嵌合するカム溝を有し、前記カムピンが前記カム溝に嵌合した状態で前記カムピン枠が相対回転することで前記カムピン枠を前記光軸方向に相対移動させるカム枠と、を更に備え、
前記カムピン枠は、前記距離目盛リングと、周方向に相対回転可能且つ前記光軸方向における相対移動が規制されるように嵌合しており、
前記通常撮影モードと前記マクロ撮影モードを切り替える際に、前記カム枠の回転により、前記カムピン枠が前記光軸方向に前記カム枠に対して相対移動し、前記カムピン枠とともに前記距離目盛リングが前記光軸方向に移動する、
請求項３に記載のレンズ鏡筒。
【請求項６】
前記固定部は、
前記レンズユニットに対する前記フォーカスリングの相対回転を第１位置と第２位置の所定の範囲に規制する第１規制部と、
前記フォーカスリングの前記第１位置への移動および前記第１位置からの移動を規制する第２規制部と、を有し、
前記第２規制部による規制は、前記固定ボタンの押下により解除され、
前記第１位置は、前記フォーカス調整を自動で行う場合に、前記フォーカスリングが前記支持枠に固定される位置である、
請求項１に記載のレンズ鏡筒。
【請求項７】
前記第２規制部は、
前記支持枠の外表面に形成された凹部に配置された規制部材と、
前記凹部に配置され前記規制部材を前記外表面から径方向外側に突出するように付勢する第１付勢部材と、
前記フォーカス調整を手動で行う場合には前記フォーカスリングの回転に伴って前記支持枠の前記外表面に沿って移動し、前記フォーカス調整を自動で行う場合には前記外表面から径方向外側に突出した前記規制部材の干渉によって移動が規制される被規制部材と、
前記被規制部材を覆うように配置された前記固定ボタンを前記被規制部材に対して径方向外側に付勢する第２付勢部材と、を有し、
前記固定ボタンは、前記規制部材を越えて前記被規制部材を移動させるために、押下により前記規制部材を前記凹部に押し込む押込み部を持ち、
前記フォーカスリングの前記第１位置への移動および前記第１位置からの移動は、前記規制部材の前記被規制部材への干渉によって規制される、
請求項６に記載のレンズ鏡筒。
【手続補正３】
【補正対象書類名】図面
【補正対象項目名】全図
【補正方法】変更
【補正の内容】
【図１】
2016143327.tif 000031
【図２】
2016143327.tif 000032
【図３】
2016143327.tif 000033
【図４】
2016143327.tif 000034
【図５】
2016143327.tif 000035
【図６】
2016143327.tif 000036
【図７Ａ】
2016143327.tif 000037
【図７Ｂ】
2016143327.tif 000038
【図７Ｃ】
2016143327.tif 000039
【図８】
2016143327.tif 000040
【図９】
2016143327.tif 000041
【図１０】
2016143327.tif 000042
【図１１Ａ】
2016143327.tif 000043
【図１１Ｂ】
2016143327.tif 000044
【図１２Ａ】
2016143327.tif 000045
【図１２Ｂ】
2016143327.tif 000046
【図１３Ａ】
2016143327.tif 000047
【図１３Ｂ】
2016143327.tif 000048
【図１４】
2016143327.tif 000049
【図１５】
2016143327.tif 000050
【図１６】
2016143327.tif 000051
【図１７】
2016143327.tif 000052
【図１８】
2016143327.tif 000053
【図１９】
2016143327.tif 000054
【図２０Ａ】
2016143327.tif 000055
【図２０Ｂ】
2016143327.tif 000056
【図２１Ａ】
2016143327.tif 000057
【図２１Ｂ】
2016143327.tif 000058
【国際調査報告】
2016143327.tif 000059
2016143327.tif 000060
2016143327.tif 000061
2016143327.tif 000062